(57)【要約】【課題】現在の携帯型入力端末は五十音図によって、子音列の指定と母音段の指定を組み合わせて入力するが、タッチ数と操作性が劣り、英文入力は一層問題が多い。【解決手段】携帯型入力端末の和文入力鍵盤において、同一のハード鍵盤に子音用の鍵盤と母音用の鍵盤をともに設定し、子音用の鍵盤による子音入力後に自動的に母音用の鍵盤が呼び出され、そこでの母音入力後に自動的に子音用の鍵盤が呼び出されるように設定することにより、キー数を半減する。また、子音用の鍵盤と母音用の鍵盤を五十音図の機能を十分に踏まえて設計して、入力速度を大幅に高める。これを英文綴りにおける字母の相補性に依拠して、１９字母キーで構成した二つのアルファベット鍵盤をワンタッチで切替える方式をとり、出現頻度の高い字母を第一鍵盤に置く英文入力と組み合わせて、和文、英文ともに高度の操作性と入力能力をもたせる。【選択図】図１
2009187510.tif 000002
【特許請求の範囲】
【請求項１】
携帯入力端末に使用する４行３列のテンキー型のローマナイズによるアルファベット使用入力鍵盤による和文入力において、すべての平仮名を形式上、子音足す母音の形に整理して、子音用の鍵盤と母音用の鍵盤を設定した携帯入力端末。
【請求項２】
請求項１において、前記４行３列のテンキー型の和文入力のための前記子音用の鍵盤と前記母音用の鍵盤において、子音用の鍵盤のキーを押し下げて子音を入力すると自動的に母音用の鍵盤に切り替わり、母音用の鍵盤のキーを押し下げて母音を入力すると、先に入力されている子音と結びついて平仮名入力が完成するとともに自動的に子音用の鍵盤に切り替わるように設定した携帯入力端末。
【請求項３】
請求項１，２において、４行３列のテンキー型の場合に具体化した子音用の鍵盤を、テンキーの上から第１行目の左から第１列目のキーを子音符キーとし、第２列目のキーをｋｇキーとし、第３列目のキーをｓｚキーとし、第２行目の第１列のキーをｔｄキーとし、第２列目のキーをｎキーとし、第３列目のキーをｈｂキーとし、第３行目の第１列のキーを拗音符キーとし、第２列目のキーをｍキーとし、第３列目のキーをｙキーとし、第４行目の第１列目のキーをｒキーとし、第２列目のキーをｗキーとし、第３列目のキーをｐキーとするように設定した携帯入力端末。この場合、これらの子音キーにａを加えてローマナイズして、ｋｇキーを、かがキーとし、ｓｚキーを、さざキーとし、ｔｄキーを、ただキーとし、ｎキーを、なキーとし、ｈｂキーを、はばキーとし、ｍキーを、まキーとし、ｙキーを、やキーとし、ｒキーを、らキーとし、ｗキーを、わキーとし、ｐキーを、ぱキーとするように表記した携帯入力端末も本発明に属する。
【請求項４】
請求項１，２において、４行３列のテンキー型の場合に具体化した母音用の鍵盤を、テンキーの上から第１行目の左から第１列目のキーを、鼻音符キーとし、第２列目のキーをａキーとし、第３列目のキーをｉキーとし、第２行目の第１列のキーをｕキーとし、第２列目のキーをｅキーとし、第３列目のキーをｏキーとし、第３行目の第１列のキーを文字大小符キーとし、第２列目のキーをａｉきーとし、第３列目のキーをｕｉキーとし、第４行目の第１列目のキーをｕｕキーとし、第２列目のキーをｅｉキーとし、第３列目のキーをｏｕキーとするように設定した携帯入力端末。このとき、ａキーを、あキーとし、ｉキーを、いキーとし、ｕキーを、うキーとし、ｅキーを、えキーとし、ｏキーを、おキーとし、ａｉきーを、あいキーとし、ｕｉキーを、ういキーとし、ｕｕキーを、ううキーとし、ｅｉキーを、えいキーとし、ｏｕキーを、おうキーとするように表記した携帯入力端末も本発明に属する。
【請求項５】
請求項１乃至３において、子音と母音の交替を保障するために子音用の鍵盤に置かれた子音符は、発音をもたない形式上の子音として、次に押し下げられたキーを母音と認識させるための作用を持つように設定した携帯入力端末。
【請求項６】
請求項１、２、４において、子音符の置かれたハードキーをさらに連続して押し下げた場合は、最初の押し下げは、請求項５に示された発音をもたない形式上の子音として、次に押し下げられたキーは本発明では形式的に母音扱いとなる鼻音として認識され、あわせて平仮名んを入力するように設定した携帯入力端末。
【請求項７】
請求項１乃至３において、子音用の鍵盤に置かれた拗音符は、子音用の鍵盤の入力に引き続いて押し下げると、本発明の子音母音交替の例外として、直前に押し下げた子音キーを拗音化して、その後の母音用の鍵盤のキーに接続するように設定した携帯入力端末。
【請求項８】
請求項１、２、４において、母音用の鍵盤に置かれた文字大小符は、子音キー足す母音キーの平仮名入力がなされた直後、あるいはこの入力が確定された直後に押し下げられた場合は、直前に入力された平仮名字母あるいは入力が確定した平仮名字母および漢字字母を、それが普通の平仮名の字体であった場合には、それを、っ、ぁ、ゃ等の平仮名の小型字体に、それが平仮名のっ、ぁ、ゃ等の小型字体の字体であった場合には、それを平仮名の普通の字体に、それが漢字の普通の字体であった場合には、それを漢字の半角の字体に、それが漢字の半角の字体であった場合には、それを漢字の普通の字体に、変える役割を持つように設定した携帯入力端末。
【請求項９】
請求項８の文字大小符が、すでに入力された文章の一部を指定した後に押し下げられた場合は、指定された文章全体について、それが平仮名の普通字体の場合には、それを、っ、ぁ、ゃ等の平仮名の小型字体に、それが平仮名の、っ、ぁ、ゃ等の小型字体であった場合には、それを平仮名の普通の字体に、それが漢字の普通の字体であった場合は、それを漢字の半角の字体に、それが漢字の半角の字体であった場合に、それを漢字の普通の字体に、変える役割を持つように設定した携帯入力端末。
【請求項１０】
請求項１乃至３において、ｋｇキー、ｓｚキー、ｔｄキー、ｈｂキー等の、二つのアルファベット字母を同一のキーに設定している場合は、これらのキーを普通に押し下げるとｋ、ｓ、ｔ、ｈの清音が入力され、やや長めに押し下げた場合は、ｇ、ｚ、ｄ、ｂの濁音が入力されるように設定した携帯入力端末。
【請求項１１】
携帯入力端末に使用する４行３列のテンキー型の英文のアルファベット入力鍵盤において、アルファベット２６字母を、二つの鍵盤に振り分けて、その一方の、アルファベット入力に入った最初に出現する鍵盤を、英文入力表鍵盤とし、この鍵盤を用いた入力中に、鍵盤切替キーを押し下げることによって、もう一方のアルファベット入力鍵盤すなわち英文入力裏鍵盤が呼び出されるように設定した携帯入力端末。
【請求項１２】
請求項１１において、呼び出された英文入力裏鍵盤による入力がなされたあと、自動的に鍵盤がもとの英文入力表鍵盤にもどるように設定した携帯入力端末。
【請求項１３】
４行３列のテンキー型の英文入力の場合にアルファベット２６字母を、二つの鍵盤に振り分けて、その一方の、アルファベット入力に入った時点で最初に出現する鍵盤を、英文入力表鍵盤とし、この鍵盤を用いた入力中に、鍵盤切替キーを押し下げることによって、もう一方のアルファベット入力鍵盤すなわち英文入力裏鍵盤が呼び出されるように設定した入力鍵盤において、最初に入る英文入力表鍵盤に設定されるアルファベット字母を、そこから鍵盤切替キーを押し下げて入る英文入力裏鍵盤に設定されるそれに比して、英語の文章中において頻出度の高いものを設定した携帯入力端末。一般に、これとは異なったキー配置を持った鍵盤、あるいはこれよりキー数の多い鍵盤、あるいは少ない鍵盤において、このような仕組みをもった入力端末も、本発明の中に含まれる。
【請求項１４】
４行３列のテンキー型の英文入力の場合の入力鍵盤において、ひとつのキーにワンタッチて同時に入力される複数のアルファベット字母を設定した携帯入力端末。一般にこれとは異なったキー配置を持った鍵盤、あるいはこれよりキー数の多い鍵盤、あるいは少ない鍵盤において、このような仕組みをもった入力端末も、本発明の中に含まれる。
【請求項１５】
請求項１４の場合において、一つのキーに設定される複数のアルファベット字母を、ｃｋｑ、ｉｙ、ｇｊ、ｓｘ、ｕｖｗの５組とした携帯入力端末。これとは異なったキー配置の鍵盤、よりキー数の多い鍵盤や少ない鍵盤で、一つのキーに設定される複数のアルファベット字母を、ｃｋｑ、ｉｙ、ｇｊ、ｓｘ、ｕｖｗの５組とした入力端末も、本発明の中に含まれる。
【請求項１６】
英語の文章中における頻出度の高い字母を選択することによって、２個一組の英語用の鍵盤のなかでの優先的鍵盤の構成を決定した鍵盤をもつ携帯入力端末。
【請求項１７】
請求項１１、１２において、請求項１３乃至１６を適用することによって、４行３列のテンキー型の携帯入力端末の英文入力表鍵盤に設定されるアルファベット字母、あるいはアルファベット字母の組み合わせを、ａ、ｃｋｑ、ｄ、ｅ、ｈ、ｉｙ、ｎ、ｏ、ｒ、ｓｘ、ｔ、ｕｖｗの１２個とした携帯入力端末。
【請求項１８】
請求項１１、１２において、請求項１７によって選定された英文入力表鍵盤に設定されるａ、ｃｋｑ、ｄ、ｅ、ｈ、ｉｙ、ｎ、ｏ、ｒ、ｓｘ、ｔ、ｕｖｗの１２個の字母あるいは字母の組み合わせを、基本的にアルファベットの順にならべた４行３列のテンキー型の鍵盤を持つ携帯入力端末。すなわち、４行３列のテンキーの１２個のキーの第１行第１列にａ、第２列にｃｋｑ、第３列にｄ、第２行第１列にｅ、第２列にｈ、第３列にｉｙ、第３行第１列にｎ、第２列にｏ、第３列にｒ、第４行第１列にｓｘ、第２列にｔ、第３列にｕｖｗのキーを配置した携帯入力端末。
【請求項１９】
請求項１１、１２において、請求項１７によって選定された英文入力表鍵盤に設定されるａ、ｃｋｑ、ｄ、ｅ、ｈ、ｉｙ、ｎ、ｏ、ｒ、ｓｘ、ｔ、ｕｖｗの１２個の字母あるいは字母の組み合わせを基本的に五十音の順にならべた４行３列のテンキー型の鍵盤を持つ携帯入力端末。すなわち、４行３列のテンキーの１２個のキーの第１行第１列にａ、第２列にｉｙ、第３列にｕｖｗ、第２行第１列にｅ、第２列にｏ、第３列にｄ、第３行第１列にｃｋｑ、第２列にｓｘ、第３列にｔ、第４行第１列にｎ、第２列にｈ、第３列にｒのキーを配置した携帯入力端末。
【請求項２０】
請求項１１、１２において、４行３列の英文入力裏鍵盤に設定される字母あるいは字母の組み合わせを、アルファベット２６字母の中から、請求項１７によって選定された、英文入力表鍵盤に設定されるａ、ｃｋｑ、ｄ、ｅ、ｈ、ｉｙ、ｎ、ｏ、ｒ、ｓｘ、ｔ、ｕｖｗの１２個の字母あるいは字母の組み合わせを差し引いた、ｂ、ｆ、ｇｊ、ｌ、ｍ、ｐ、ｚの７個の字母あるいは字母の組み合わせとし、これらを載せた７個のキーに、計５個の符号キーを加えた１２個のキーによって英文入力裏鍵盤を構成した携帯入力端末。
【請求項２１】
請求項１１、１２において、４行３列の英文入力裏鍵盤に設定される字母あるいは字母の組み合わせを、請求項２０によって選定されたｂ、ｆ、ｇｊ、ｌ、ｍ、ｐ、ｚの７個の字母あるいは字母の組み合わせとし、これらを載せた７個のキーに、．（ピリオド）キー、，（コンマ）キー、？（疑問符）キー、文字大小符キー、！（感嘆符）キーの計５個の符号キーを加えた１２個のキーによって英文入力裏鍵盤を構成した携帯入力端末。
【請求項２２】
請求項２１において英文入力裏鍵盤に設定される７個の字母あるいは字母の組み合わせを基本的にアルファベット順に並べ、その後ろに請求項２１において英文入力裏鍵盤に表記される７個のアルファベット符号キーを加えた携帯入力端末。すなわち、４行３列の１２個のキーの第１行第１列にｂ、第２列にｆ、第３列にｇｊ、第２行第１列にｌ、第２列にｍ、第３列にｐ、第３行第１列に文字大小符、第２列に，（コンマ）、第３列に．（ピリオド）、第４行第１列にｚ、第２列に９（疑問符）、第３列に！（感嘆符）というように設定した携帯入力端末。
【請求項２３】
請求項２０乃至２２における文字大小符キーを、それを押し下げると、その直前に入力された、あるいは入力後さらに確定された英文小文字を大文字に、英文大文字を小文字に転換するように設定した携帯入力端末。
【請求項２４】
請求項２０乃至２２における英文入力鍵盤における文字大小符キーが、すでに入力された文章や単語の一部を指定した後に押し下げられた場合は、指定された文章や単語全体について、英文小文字を大文字に、英文大文字を小文字に転換するように設定した携帯入力端末。
【請求項２５】
アルファベット２６字母を入力の単位とせず、ａ、ｂ、ｃｋｑ、ｄ、ｅ、ｆ、ｇｊ、ｈ、ｉｙ、ｌ、ｍ、ｎ、ｏ、ｐ、ｒ、ｓｘ、ｔ、ｕｖｗ、ｚの１９個の字母あるいは字母の組み合わせを入力の単位とした入力端末。
【請求項２６】
請求項１７乃至２２によって構成される英文鍵盤の実際の運用において、これらの一つのキーに表記された複数の字母を含む単語を、前もって携帯端末に登録しておいて、単語の引き当ての機能によって、正しい綴りを確定するように設定した携帯入力端末。
【請求項２７】
請求項２６の手続きに基づく携帯端入力端末における英文の入力中において、正しい綴りが直ちに確定できない場合は、入力された字母に基づいて、該当する複数の単語を４行３列の鍵盤に対応する形でディスプレーの画面に表示した携帯入力端末。４行３列の入力鍵盤、あるいはこれより多いキー数や少ないキー数をもった鍵盤において、すでに入力された字母に基づいて推測される複数の単語を、それぞれの鍵盤の形態に対応する形でディスプレーの画面に表示した入力端末も本発明に属する。
【請求項２８】
請求項２６、２７の英文入力の場合、入力すべき候補として該当する複数の単語をその単語の頻用性あるいは場面の適合性の高い順に、４行３列の鍵盤に対応する形でディスプレーの画面に表示するように設定した携帯入力端末。
【請求項２９】
４行３列のテンキー型の鍵盤をもつ携帯入力端末における和文入力の場合において、すでに入力された字母に基づいて推測され、あるいは予測される複数の変換入力されるべき候補の文字あるいは単語が、４行３列のテンキー型の鍵盤と対応する形でディスプレーの画面に表示されるように設定された携帯入力端末。一般に、４行３列の入力鍵盤とは異なった形態をもつ鍵盤、あるいはこれより多いキー数や少ないキー数をもった鍵盤において、すでに入力された字母に基づいて推測されあるいは予測される複数の変換されるべき候補の文字あるいは単語が、それぞれの鍵盤の形態に対応する形でディスプレーの画面に表示される入力端末も本発明に含まれる。
【請求項３０】
請求項２７、２８の英文入力のばあい、あるいは請求項２９の和文入力の場合において、入力された字母に基づいて推測され、あるいは予測される複数の変換されるべき候補の文字あるいは単語が、４行３列のテンキー型の鍵盤と対応する形でディスプレーの画面に表示されたときに、まずシフトキーを押し下げた後に、ディスプレー上に表示された選ぶべき候補の文字あるいは単語の位置に対応する鍵盤上のキーを押し下げると、その文字あるいは単語が入力されると同時に、その入力が確定するように設定された携帯入力端末。４行３列の入力鍵盤とは異なった形態をもつ鍵盤、あるいはこれより多いキー数や少ないキー数をもった鍵盤において、請求項２７乃至２９における形で、すでに入力された字母に基づいて推測され、あるいは予測される複数の変換されるべき候補の文字あるいは単語が、それぞれの鍵盤と対応する形でディスプレーの画面に表示されたときに、まずシフトキーを押し下げた後に、ディスプレー上に表示された選ぶべき候補の文字あるいは単語の位置に対応する鍵盤上のキーを押し下げると、その文字あるいは単語が入力されると同時に、その入力が確定するように設定された入力端末も本発明に属する。
【請求項３１】
請求項３０の場合において、ディスプレーの画面に表示されたなかに期待される候補文字あるいは単語が見つからなかった場合には、引き続き連続して鍵盤切替キーを押し下げると、その度にさらに新しい候補文字あるいは単語を配置した画面が出現するように設定された携帯入力端末。
【請求項３２】
請求項３１の場合において、目的とする候補文字あるいは単語が見いだされた時点で請求項３０のように、まずシフトキーを押し下げた後に、ディスプレー上に表示された選ぶべき候補の文字あるいは単語の位置に対応する鍵盤上のキーを押し下げると、その文字あるいは単語が入力されると同時に、その入力が確定するように設定された携帯入力端末。４行３列の入力鍵盤とは異なった形態をもつ鍵盤、あるいはこれより多いキー数や少ないキー数をもった鍵盤において、請求項３１の場合において、ディスプレーの画面に表示されたなかに期待される候補文字あるいは単語が見つからなかった場合には、引き続き連続して鍵盤切替キーを押し下げると、その度にさらに新しい候補文字あるいは単語を配置した画面が出現し、この時点で請求項３０のように、まずシフトキーを押し下げた後に、ディスプレー上に表示された選ぶべき候補の文字あるいは単語の位置に対応する鍵盤上のキーを押し下げると、その文字あるいは単語が入力されると同時に、その入力が確定するように設定された入力端末も本発明に属する。
【請求項３３】
請求項３１、３２の場合において、当該候補文字あるいは単語が入力されるとただちにそれまでに行われていた通常の入力状況にもどるように設定した携帯入力端末。請求項３１、３２の場合において、４行３列の入力鍵盤とは異なった形態をもつ鍵盤、あるいはこれより多いキー数や少ないキー数をもった鍵盤において、当該候補文字あるいは単語が入力されるとただちにそれまでに行われていた通常の入力状況にもどるように設定した入力端末。
【請求項３４】
本発明における４行３列のテンキー型の携帯入力端末において、和文入力中、英文入力中、数字入力中それぞれの場合に、符号入力が必要とされる場面において、鍵盤切替キーを所定の回数連続して押し下げることによって、その押し下げ回数に従って必要な符号鍵盤が呼び出されるように設定された携帯入力端末。なお、一般に、４行３列の入力鍵盤とは異なった形態をもつ鍵盤、あるいはこれより多いキー数や少ないキー数をもった鍵盤において鍵盤切替キーを所定の回数押し下げることによって、必要な符号鍵盤が呼び出されるように設定された入力端末も本発明に属する。
【請求項３５】
本発明における４行３列のテンキー型の携帯入力端末において、和文入力中と数字入力中に、鍵盤切替キーを１度押し下げることによって入る符号鍵盤すなわち本発明に言う和文符号数字符号基本鍵盤の内容を、両者共通の、「」、『』、〃、  、（読点）、。（句点）、々、丶、，、．、ゝ、？（疑問符）、！（感嘆符）の１２個の符号からなるものとした携帯入力端末。
【請求項３６】
請求項３５において、和文符号数字符号基本鍵盤に含まれる符号を、４行３列の鍵盤の、最上端の最左列、すなわち鍵盤の第１行第１列目のキーを「」キーに、第２列のキーを『』キーに、第３列のキーを〃キーに、第２行第１列のキーを、（読点）キーに、第２列のキーを。（句点）キーに、第３列のキーを々キーに、第３行第１列のキーを丶キーに、第２列のキーを，（コンマ）キーに、第３列のキーを．（ピリオド）キーに、第４行第１列のキーをゝキーに、第２列のきーを？（疑問符）キーに、第３列のキーを！（感嘆符）とするように設定した携帯入力端末。
【請求項３７】
請求項３４において、和文入力中、英文入力中、数字入力中それぞれの場合に、鍵盤切替キーを連続２度押し下げることによって入る符号鍵盤から、鍵盤切替キーを連続８度押し下げることによって入る符号鍵盤までの、７種の符号鍵盤の内容を、和文入力、英文入力、数字入力等の入力種の相違にかかわらず、鍵盤切替キーの押し下げ回数が同一である限り、同一の内容を持つように設定された携帯入力端末。
【請求項３８】
請求項３７において、鍵盤切替キーを連続２度押し下げることによって入る符号鍵盤すなわち本発明に言う符号第１鍵盤の内容を、インターネット関係の符号を主とするものとし、鍵盤切替キーを連続３度押し下げることによって入る符号鍵盤すなわち本発明に言う符号第２鍵盤の内容を、括弧符号を中心とする符号を主とするものとし、鍵盤切替キーを連続４度押し下げることによって入る符号鍵盤すなわち本発明に言う符号第３鍵盤の内容を、日常生活に使用する単位符号を中心とする符号を主とするものとし、鍵盤切替キーを連続５度押し下げることによって入る符号鍵盤すなわち本発明に言う符号第４鍵盤の内容を、文章入力に常用する符号を中心とするものとし、鍵盤切替キーを連続６度押し下げることによって入る符号鍵盤すなわち本発明に言う符号第５鍵盤の内容を、簡単な図形符号とし、鍵盤切替キーを連続７度押し下げることによって入る符号鍵盤すなわち本発明に言う符号第６鍵盤の内容を、基本的な数学符号とし、鍵盤切替キーを連続８度押し下げることによって入る符号鍵盤すなわち本発明に言う符号第７鍵盤の内容を、やや高等な数学符号とした携帯入力端末。この場合、これらの６種の符号鍵盤の入力に必要な鍵盤切替のためのキーの押し下げ数を互いに入れ替えた携帯入力端末も本発明に属する。
【請求項３９】
請求項３８において、本発明では符号入力第１鍵盤と呼ぶ、主としてメール、インターネット等に必要とされる基礎的符号を集成した鍵盤に含まれる諸符号を、：、；、・（中黒）、‘’、“”、／（スラッシュ）、￣（オーバーライン）、‐（ハイフン）、＿（アンダーライン）、＊、＠、＃の合計１２個の符号とした携帯入力端末。
【請求項４０】
請求項３８、３９において、主としてメール、インターネット等に必要とされる基礎的符号として、ディスプレー上に表示される諸符号を、４行３列のテンキー型の鍵盤の第１行第１列に、：（コロン）キーを、第２列に；（セミコロン）キーを、第３列に・（中黒）キーを、第２行第１列に‘’キーを、第２列に“”キーを、第３列に／キーを、第３行第１列に￣（オーバーライン）キーを、第２列に‐（ハイフン）キーを、第３列に＿（アンダーライン）キーを、第４行第１列に＊キーを、第２列に＠キーを、第３列に＃キーを表示するように設定した携帯入力端末。
【請求項４１】
請求項３７において、括弧符号を中心とする符号第２鍵盤の内容を、（）、［］、｛｝、〔〕、【】、＜＞、《》、○、←、〜、●、→の１２個の符号とした携帯入力端末。
【請求項４２】
請求項３８において、日常生活に使用する単位符号を中心とする符号第３鍵盤の内容を、￥、＄、£、¢、％、‰、ＴＥＬ、＆、Ｆａｘ、ｍ２、〒、Ｎｏ．の１２個の符号とした携帯入力端末。
【請求項４３】
請求項３８において、文章入力の符号を中心とする符号第４鍵盤の内容を、°（度）、′（分）″（秒）、♂、♀、§、‥（二点リーダ）、…（三点リーダ）、※、´（アクサン・テギュ）、｀（アクサン・グラブ）、＾（アクサン・シルコンフレックス）の１２個の符号とした携帯入力端末。
【請求項４４】
請求項３８において、簡単な図形符号を中心とする符号第５鍵盤の内容を、◎、□、◇、◎、■、◆、△、▽、☆、▲、▼、★の１２個の符号とした携帯入力端末。
【請求項４５】
請求項３８において、基本的な数学符号を中心とする符号第６鍵盤の内容を、＋、−、±、×、÷、＝、＞、≧、≒、＜、≦、≠、の１２個の符号とした携帯入力端末。
【請求項４６】
請求項３８において、やや高等な数学符号を中心とする符号第７鍵盤の内容を、∴、∵、√、∽、∞、∝、ｆ（ｘ）、ｆ’（ｘ）≡、∫、∬、∂の１２個の符号とした携帯入力端末。
【請求項４７】
請求項３４乃至４６において、４行３列のテンキー型の携帯入力端末において呼び出される符号鍵盤すなわち和文符号数字符号基本鍵盤および、符号第１鍵盤から符号第７鍵盤までの、和文入力、英文入力、数字入力の３種の入力種に共通する符号鍵盤、さらに符号第８鍵盤およびそれ以降の符号鍵盤が、それが呼び出された際に、４行３列のテンキー型の鍵盤に対応した形態をもって、ディスプレーの画面上に表示されるように設定された携帯入力端末。一般に、４行３列の入力鍵盤とは異なった形態をもつ鍵盤、あるいはこれより多いキー数や少ないキー数をもった鍵盤において、それぞれの符号鍵盤が、それが呼び出された際に、それぞれの現実の鍵盤に対応した形態をもって、ディスプレーの画面上に表示されるように設定された力端末も本発明に属する。
【請求項４８】
請求項４７において、ディスプレーの画面上に表示される符号鍵盤が、半透明で入力画面にかぶさる形で、あるいは不透明で入力画面の下部に置かれる形で、ディスプレーの画面上に表示されるように設定された携帯入力端末。４行３列の入力鍵盤とは異なった形態をもつ鍵盤、あるいはこれより多いキー数や少ないキー数をもった鍵盤において、それぞれの符号鍵盤が、それぞれの鍵盤に対応した形態をもって、半透明で入力画面にかぶさる形で、あるいは不透明で入力画面の下部に置かれる形で、ディスプレーの画面上に表示されるように設定された力端末も本発明に属する。
【請求項４９】
請求項４７、４８において、画面に表示された諸符号のなかで現在入力対象として必要とされる符号の位置に対応した位置にある現実の鍵盤上のキーを押しさげると、その符号が入力されるように設定された携帯入力端末およびその他の入力端末。
【請求項５０】
各種入力中にシフトキーを押し下げたあとに続いて入力種キーを押し下げることにより、片仮名文字入力に入り、片仮名入力が終わった時点で再びシフトキーを押し下げ、続いて入力種キーを押し下げることにより、もとの入力種に復帰するように設定した携帯入力端末およびその他の入力端末。
【請求項５１】
上記のすべての４行３列の携帯入力端末およびその他の入力端末のキーの配置に対して、それと左右対称にキーを配置した携帯入力端末およびその他の入力端末。
【発明の詳細な説明】
【技術分野】
【０００１】  本発明は携帯入力端末の入力方式に関するものである。
【背景技術】
【０００２】現在、携帯電話端末等の小型機器は、半導体技術の発展によって以前のパーソナルコンピューターに匹敵する極めて高度の機能を持つにいたっている。【０００３】したがってこれらの小型入力端末においても、一般的なパーソナルコンピューターと同様に、高度の文字、符号の入力機能や編集機能、あるいはインターネットへの接続等にふさわしい操作性が求められている。【０００４】しかしながら、これらの小型入力端末においては、最大限の小型化が必須の前提的要請となっており、パーソナルコンピューターのキーボードの５分の１にも満たないキー数しか備えられておらず、そのためにこの要求を満たすことはきわめて困難であった。【０００５】現在、少数のキーとりわけいわゆるテンキーによって高度の入力を勝ち取るために使用されている和文入力の方式は、携帯電話で一般的となっている、一つのハードキーに複数の字音を代表させ、これに別種の操作を加えてその字音を確定するという方式である。【０００６】この現在通用のいわゆるテンキー型の携帯電話の入力方式は、特許文献１に始まる五十音図に依拠した方式である。【０００７】すなわち、テンキーに五十音図の十行五段の文字配列を対応させて、各キーに子音行を代表させ、子音キーの連続打鍵によって、その母音を決定するものである。【０００８】これには、特許文献２や特許文献３のように別に設けた母音段を決定する母音キーあるいは別種デバイスの押し下げによって、母音を決定する方式がある。【０００９】このように携帯電話の和文入力は五十音図に依拠するという日本語の特性に対応した優れた方式を採用することによって、使用時の抵抗感を減らし、一定の操作性を獲得するに至っている。【００１０】しかしながら、特許文献１に始まる現行の携帯電話の入力方式は、特許文献２の場合をも含めてタッチ数が極めて多くなるという欠点がある。【００１１】これに対して、たとえば子音行の確定に加えて別種デバイスの押し下げによって母音段を確定するという特許文献３のアイデアは、原理的には高度の操作性を実現するものであるが、その現実の入力動作における操作性には問題が残されている。【００１２】すなわち、この特許文献３のアイデアにおいては、筐体表面に置かれたテンキーに子音段の決定を役割を担わせ、筐体裏面に置かれた別種のデバイスの押し下げによって母音段が決定される。【００１３】この場合においては、テンキーと操作デバイスを片手の別の指で同時に操作できるので、子音段の決定と母音段の決定がほぼ同時になされるので、原理的にはきわめて迅速な入力が可能となる。【００１４】しかし、この方式における現実の入力動作においては、筐体表面に置かれたテンキーの入力動作における意識と筐体裏面に置かれた別種のデバイスの押し下げの意識が、同一表面上のそれでない（逆面操作）ことからくる矛盾感と、筐体表面に置かれたテンキーの入力動作における意識が右から左、上から下という直線的な性質を持つのに対して、筐体裏面に置かれた別種のデバイスの押し下げの意識が、一点の上下、左右に置かれた四つの点の選択という性格をもつことの間の矛盾感が重なり、実際の操作性は高いものとならない。【００１５】テンキーにおける子音段と母音段の決定に関しては、母音キーの位置を固定せず、一打目の子音キーにあわせてそれを取り囲むように母音を担当するキーを配列するという特許文献４の方式がある。【００１６】これはきわめて優れた発想であり、もし入力鍵盤が相当多くのキーから成り立っている場合には、理想的な効果が期待できる。【００１７】しかしながら、現実の携帯端末においては、キー数が限られているため、こうして自動的に出現した母音段を決定する機能をもったキーと、先に決定された子音段のキーとの位置関係が、さまざまな形をとることに成り、実際の入力動作が逆に煩瑣になるという欠点がある。【００１８】また、これらの和文入力における優れた方式とは異なって、英文入力の場合には、旧態然として１個のキーに３個ないし４個の英文字母が割り当てられる方式が採用されている。
【特許文献】
【特許文献１】  特許公開２００１−１７５３９１
【特許文献２】  特許公開２００３−２５６１１５
【特許文献３】  特許公開２００５−１２８８０２
【特許文献４】  特許公開２００６−０２３９５０
【発明の開示】
【発明が解決しようとする課題】
【００１９】本発明が解決しようとする課題は、総じて言えば、テンキー型の携帯入力端末に対して、和文入力、英文入力、数字入力、符号入力等の異なった性格をもつ入力対象に応じて、その特性に対応した形の鍵盤システムを通じて、より合理的なインターフェイスを提供することにある。【００２０】テンキー型の携帯入力端末における和文入力と英文入力の困難は、五十音やアルファベット２６字母という多数の入力対象を、最大限１２個のキーによって処理せざるを得ない点にある。【００２１】テンキー型の携帯入力端末における符号入力の困難は、すでに五十音の字母や五十音を表すアルファベット字母、あるいは英文入力のためのアルファベット２６字母の表記で埋め尽くされた鍵盤には、符号を表記する十分な余地が無く、必然的に画面のディスプレーに符号を表示して、この符号あるいは符号一覧のなかから必要な符号を、カーソルによって捜し求めるという操作、すなわち字母入力における鍵盤操作とは異質でやや不安定、かつ一般的に操作回数の多い方法を取らざるを得ない点にある。【００２２】テンキー型の携帯入力端末における和文入力のシステムを、一般的なパソコンの入力方式と比較した場合の大きな特徴は、携帯電話の場合にもっとも特徴的に示されるように、すでに入力された文脈から、あるいは入力時の時間的、空間的、社会的環境から、きわめて多数の入力候補文字が画面のディスプレートに表示され、入力者はこの入力候補文字から、必要とされる文字を選ぶシステムが発達していることである。【００２３】これはきわめて重要な技術的発展であるが、実際にこの候補文字を選択する場合には、符号入力の場合と同様に、この候補文字の一覧を、カーソルによって捜し求めるという操作、すなわち和文入力における鍵盤操作とは異質でやや不安定、かつ一般的に操作回数の多い方法を取らざるを得ない点にある。
【課題を解決するための手段】「和文入力問題の解決」【００２４】本発明は、和文入力の場合には、４行３列のテンキー型のローマナイズによるアルファベット使用の平仮名入力を行う携帯入力端末において、全ての平仮名を形式上子音と母音の形に整理して、本発明で和文入力表鍵盤と称する子音用の鍵盤と、本発明で和文入力裏鍵盤と称する母音用の鍵盤を用いて入力する方式を取ることにより、さらにこの二つの鍵盤を自動的に交替する方式をとることによって、この困難を解決する。【００２５】すなわち、４行３列のテンキー型のローマナイズによるアルファベット使用の携帯入力端末において、子音用の鍵盤すなわち和文入力表鍵盤のキーを押し下げて子音を入力すると、自動的に母音用の鍵盤すなわち和文入力裏鍵盤に切り替わり、母音用の鍵盤すなわち和文入力裏鍵盤のキーを押し下げて母音を入力すると、自動的に子音用の鍵盤すなわち和文入力表鍵盤に切り替わる方式を採用することにより、４行３列計１２個のキーにその倍の２４種の入力を担わせるシステムを作るのである。【００２６】この場合の困難として、ローマナイズによるアルファベット使用の平仮名入力を行う場合の子音は、五十音図のｋ段、ｓ段、ｔ段、ｎ段、ｈ段、ｍ段、ｙ段、ｒ段、ｗ段の計９段の清音、ならびにｐ段の半濁音、およびｇ段、ｚ段、ｄ段、ｂ段の計４段の濁音、合わせて１４個の子音字母となるが、この１４個の字母を１２個のキーを持った子音用の鍵盤すなわち和文入力表鍵盤にどのように設定するのかという問題である。【００２７】さらに、普通のローマナイズによるアルファベット使用の平仮名入力を行う場合、拗音にｙキーを用いた場合には、上記の子音と母音を自動的に交替させるシステムに従えは、このｙキーの前後には母音キーが現れることになり、たとえばｔｙｏｕｋｏｕｓｏｋｕ（超高速）という場合のｔｙのように子音が重なるようなローマナイズやｏｕのように母音が重なるローマナイズに対応しきれないというような問題点が残る。【００２８】そこで、本発明においては、拗音の入力に対応するために子音用の鍵盤すなわち和文入力表鍵盤に拗音符を置き、この拗音符は子音用の鍵盤と母音用の鍵盤の交替に対して中立的なものとして、たとえばｔキーのあとに拗音符キーを押し下げて、ｔｙを入力し、ｋキーのあとに拗音符キーを押し下げて、ｋｙを入力するように設定し、さらにその後の母音キーと結びついて、ちゃ、きゃ等を入力するように設定し、一方、ｙキーについては、その後の母音キーと結びついて、や、ゆ、よ等を入力するように設定する。【００２９】また、ｏｕのように母音が重なる場合については、漢字におけるいわゆる二重母音は、ａｉ、ｕｉ、ｕｕ、ｅｉ、ｏｕの５種に限られていることは、通常のパソコン入力の場合において、特許公開平０５−２１６５７５、特許公開平０６−０４３９８６等の文献によって確認できる。【００３０】そこで、本発明においては４行３列の母音用の鍵盤すなわち和文入力裏鍵盤に、ａ、ｉ、ｕ、ｅ、ｏの５個の母音キーとともに、ａｉ、ｕｉ、ｕｕ、ｅｉ、ｏｕの５個の二重母音キーを設定して、いわゆる二重母音の漢字や平仮名における母音が重なるローマナイズに対応する。【００３１】残された問題は、普通のローマナイズによるアルファベット使用の平仮名入力の場合のように、たとえば、ｏｏｋｉｎａｋａｔｕｊｉ（大きな活字）と入力すれば、本発明における子音と母音を自動的に交替させるシステムに対応しきれないという点である。【００３２】本発明は、この点に関しては、子音用の鍵盤すなわち和文入力表鍵盤に音価を持たない子音符を設定することにより解決する。【００３３】すなわち、ｏｏｋｉｎａｋａｔｕｊｉ（大きな活字）と入力する場合には、子音符キー、ｏキー、子音符キー、ｏキー、ｋキー、ｉキー、ｎキー、ａキー、ｋキー、ａキー、ｔキー、ｕキー、ｊキー、ｉキーと入力することになる。【００３４】さらに問題となるのは、鼻音の扱いである。【００３５】すなわち、子音用の鍵盤すなわち和文入力表鍵盤と母音用の鍵盤すなわち和文入力裏鍵盤の自動的的交替という方式を取る本発明においては、一般的に採用されているｎキーを二度連続して押し下げて鼻音すなわちんを入力するという方式をとることができないという問題である。【００３６】この点については、子音用の鍵盤すなわち和文入力表鍵盤で子音符が置かれていた位置に、母音用の鍵盤すなわち和文入力裏鍵盤で鼻音符を置くことによって、解決する。【００３７】すなわち、この場合には、最初に子音用の鍵盤すなわち和文入力表鍵盤の形式的には子音であるが音価のない子音符を押し下げ、続いて母音用の鍵盤すなわち和文入力裏鍵盤の同じハードキーに設定された形式的には母音であるが実際には鼻音を入力する鼻音符を押し下げることにより、子音用の鍵盤すなわち和文入力表鍵盤と母音用の鍵盤和文入力裏鍵盤の自動的交替という方式に従いながら鼻音のんを入力することにする。【００３８】こうして、子音用の鍵盤すなわち和文入力表鍵盤に子音符と拗音符、母音用の鍵盤すなわち和文入力裏鍵盤に鼻音符を設定することにより、五十音図のｋ段、ｓ段、ｔ段、ｎ段、ｈ段、ｍ段、ｙ段、ｒ段、ｗ段の計９段の清音、ならびにｐ段の半濁音、および拗音と鼻音の入力が可能となった。【００３９】なお残されているのは、ｇ段、ｚ段、ｄ段、ｂ段の計４段の濁音の入力の問題である。【００４０】この点については、本発明はｋ段、ｓ段、ｔ段、ｈ段の４段の清音のキーに同時にｇ段、ｚ段、ｄ段、ｂ段の計４段の濁音のキーを合わせ置いて、これらのキーを普通に押し下げると、清音が入力され、これらのキーが普通よりやや長めに押し下げられた場合には、濁音が入力されるように設定する。【００４１】以上の諸発明を総合して、本発明は、図１（ａ）（ｂ）（ｃ）のような４行３列の和文入力システムを持った携帯入力端末を構築する。【００４２】すなわち、まず第一に、４行３列のテンキー型の場合に具体化した子音用の鍵盤すなわち和文入力表鍵盤を、図１（ａ）に示すように、テンキーの上から第１行目の左から第１列目のキーを子音符キーとし、第２列目のキーをｋｇキーとし、第３列目のキーをｓｚキーとし、第２行目の第１列のキーをｔｄキーとし、第２列目のキーをｎキーとし、第３列目のキーをｈｂキーとし、第３行目の第１列のキーを拗音符キーとし、第２列目のキーをｍキーとし、第３列目のキーをｙキーとし、第４行目の第１列目のキーをｒキーとし、第２列目のキーをｗキーとし、第３列目のキーをｐキーとするように設定した携帯入力端末である。【００４３】上記の場合、図２（ａ）のように、これらの子音キーにａを加えてローマナイズして、ｋｇキーを、かがキーとし、ｓｚキーを、さざキーとし、ｔｄキーを、ただキーとし、ｎキーを、なキーとし、ｈｂキーを、はばキーとし、ｍキーを、まキーとし、ｙキーを、やキーとし、ｒキーを、らキーとし、ｗキーを、わキーとし、ｐキーを、ぱキーとするように表記した携帯入力端末も本発明に属する。【００４４】続いて第二に、４行３列のテンキー型の場合に具体化した母音用の鍵盤すなわち和文入力裏鍵盤を、図１（（ｂ）に示すように、テンキーの上から第１行目の左から第１列目のキーを、鼻音符キーとし、第２列目のキーをａキーとし、第３列目のキーをｉキーとし、第２行目の第１列のキーをｕキーとし、第２列目のキーをｅキーとし、第３列目のキーをｏキーとし、第３行目の第１列のキーを文字大小符キーとし、第２列目のキーをａｉきーとし、第３列目のキーをｕｉキーとし、第４行目の第１列目のキーをｕｕキーとし、第２列目のキーをｅｉキーとし、第３列目のキーをｏｕキーとするように設定した携帯入力端末である。【００４５】上記の場合、図２（ｂ）のように、これらの母音キーをローマナイズによって表音して、ａキーをあキーとし、ｕキーをうキーとし、ｅキーをえキーとし、ｏキーをおキーとし、ａｉキーをあいキーとし、ｕｉキーをういキーとし、ｕｕキーをううキーとし、ｅｉキーをえいキーとし、ｏｕキーをおうキーとするように表記した携帯入力端末も本発明に属する。
「英文入力問題の解決」【００４６】本発明の英文入力においては、携帯入力端末に使用する４行３列のテンキー型の英文入力鍵盤において、アルファベット２６字母を、二つの鍵盤に振り分けて、その一方の、英文入力に入った最初に出現する鍵盤を、英文入力表鍵盤とし、この鍵盤を用いた入力中に、鍵盤切替キーを押し下げることによって、もう一方の英文入力裏鍵盤が呼び出されるように設定した携帯入力端末を提唱する。【００４７】このような、方式を取ることによって、本発明は、従来の一つのキーに３個あるいは４個のアルファベット字母を配置した鍵盤を採用する携帯入力端末の入力に際して、キーの押し下げ数が多く、かつ押し下げ数がキーによって不均等であるという欠陥を克服し、リズミカルで高速の英文入力を可能とする。【００４８】しかし、このような方式を採用するためには、二つの問題を解決する必要がある。【００４９】まず、第一の問題は、本発明が設定する携帯入力端末の英文入力表鍵盤のキー数は１２個であり、これに鍵盤切替キーを押し下げて呼び出す英文入力裏鍵盤の１２個のキーを加えても、そのままではアルファベット２６字母に対応できないことである。【００５０】この点については、本発明は、英文単語の綴りに見られる相補性を利用して、ひとつのキーに複数の英文字母を設定した携帯入力端末を提唱する。【００５１】本発明は、上記の英文単語の綴りに見られる相補性を利用して、ｃｋｑ、ｉｙ、ｇｊ、ｓｘ、ｕｖｗの５組の複数の英文字母を、それぞれひとつのキーに設定した携帯入力端末を提唱するのであるが、この相補性の検証は実施例において行い、ここではその結果だけを示している。【００５２】この発明によって、英文入力に必要なキー数を、２６個から１９個に減らすことができ、さらに余ったキーを主要な英文符号の入力に当てることが可能となる。【００５３】第二の問題は、本発明においては、全ての英文字母を英文入力表鍵盤と英文入力裏鍵盤に振り分けるが、前者から後者に入るためには、鍵盤切替キーを押し下げる必要が生じることである。【００５４】したがって、英語の文章のなかで、相対的に頻用される字母を英文入力表鍵盤に集中し、英語の文章のなかで、相対的に出現度の低い字母を英文入力裏鍵盤に置くことによって、鍵盤切替キーを押し下げる必要が生じる場合を減らすことができる。【００５５】このように、英文の単語綴りにおける字母の相補性と、英文における字母の頻出度の相違にもとづいて、本発明においては、４行３列のテンキー型の携帯入力端末の英文入力表鍵盤に設定されるアルファベット字母、あるいはアルファベット字母の組み合わせを、ａ、ｃｋｑ、ｄ、ｅ、ｈ、ｉｙ、ｎ、ｏ、ｒ、ｓｘ、ｔ、ｕｖｗの１２個とした携帯入力端末を提唱する。【００５６】この１２個の字母あるいは字母の組み合わせの、鍵盤上の配列については、一部の日本人のユーザーを念頭に置いた和文における字母あるいは字母の組み合わせとの対応関係を重視した、五十音順の配列を持った携帯入力端末と、よりユニヴァーサルなアルファベット順の配列を持った携帯入力端末という２種の携帯入力端末を提唱する。【００５７】すなわち、この英文入力表鍵盤に設定されるａ、ｃｋｑ、ｄ、ｅ、ｈ、ｉｙ、ｎ、ｏ、ｒ、ｓｘ、ｔ、ｕｖｗの１２個の字母あるいは字母の組み合わせを、図３（ａ）（ｃ）のように、的に五十音の順にならべた携帯入力端末、すなわち、４行３列のテンキーの第１行第１列にａ、第２列にｉｙ、第３列にｕｖｗ、第２行第１列にｅ、第２列にｏ、第３列にｄ、第３行第１列にｃｋｑ、第２列にｓｘ、第３列にｔ、第４行第１列にｎ、第２列にｈ、第３列にｒのキーを配置した携帯入力端末がその第一の形態である。【００５８】次に、英文入力表鍵盤に設定されるａ、ｃｋｑ、ｄ、ｅ、ｈ、ｉｙ、ｎ、ｏ、ｒ、ｓｘ、ｔ、ｕｖｗの１２個の字母あるいは字母の組み合わせを、図４（ａ）（ｃ）のように、的にアルファベットの順にならべた携帯入力端末、すなわち、４行３列のテンキーの第１行第１列にａ、第２列にｃｋｑ、第３列にｄ、第２行第１列にｅ、第２列にｈ、第３列にｉｙ、第３行第１列にｎ、第２列にｏ、第３列にｒ、第４行第１列にｓｘ、第２列にｔ、第３列にｕｖｗのキーを配置した携帯入力端末がその第二の形態であり、欧米人等の外国人の全てと多くの日本人を対象としている。【００５９】この携帯入力端末の英文入力表鍵盤と組み合わせられる４行３列の英文入力裏鍵盤は、アルファベット２６字母の中から、英文入力表鍵盤に設定されるａ、ｃｋｑ、ｄ、ｅ、ｈ、ｉｙ、ｎ、ｏ、ｒ、ｓｘ、ｔ、ｕｖｗの１２個の字母あるいは字母の組み合わせを差し引いた、ｂ、ｆ、ｇｊ、ｌ、ｍ、ｐ、ｚの７個の字母あるいは字母の組み合わせとし、これらを載せた７個のキーに、．（ピリオド）キー、，（コンマ）キー、？（疑問符）キー、文字大小符キー、！（感嘆符）キーの計５個の符号キーを加えた１２個のキーによって構成されることになる。【００６０】さらに、この英文入力裏鍵盤に設定される７個の字母あるいは字母の組み合わせを的にアルファベット順に並べた鍵盤をもつ携帯入力端末、すなわち、それらを図３（ｂ）あるいは図４（ｂ）のように、４行３列の１２個のキーの第１行第１列にｂ、第２列にｆ、第３列にｇｊ、第２行第１列にｌ、第２列にｍ、第３列にｐ、のように配置し、またこれと組み合わせる，（コンマ）キー、．（ピリオド）キー、？（疑問符）キー、文字大小符キー、！（感嘆符）キーの計５個の符号キーを、４行３列の１２個のキーの第３行第１列に文字大小符キー、第２列に，（コンマ）キー、第３列に．（ピリオド）キー、第４行第１列にｚキー、第２列に？（疑問符）キー、第３列に！（感嘆符）というように配置した携帯入力端末を提唱する。【００６１】この場合、字母ｚを他のアルファベントから切り離して、４行３列の１２個のキーの最後の行である第４行の第１列に置き、かわりに第３行第１列に文字大小符キーを置いたのは、和文入力鍵盤との文字大小符キーの配置の共通性を求めたからであり、またのちに実施例で説明するように、字母ｚの英文中での出現率が極めて低く、コンマ、ピリオドの出現率の数分の一であり、したがって、次項で述べるように小文字を大文字に、大文字を小文字に転換する機能をもつ文字大小符キーが、ピリオドで文章が終わったのちに、新しい文章の開始とともに要求される小文字入力の大文字への転換に使用されることからして、少なくとも、ピリオドと同じかそれ以上の出現率を持つという事態にも適合的である。【００６２】以上に説明した英文入力裏鍵盤に設定さる文字大小符キーは、それを押し下げると、その直前に入力された、あるいは入力後さらに確定された小文字を大文字に、大文字を小文字に転換するように設定される。【００６３】また、この英文入力裏鍵盤に設定さる文字大小符キーは、カーソルキー等によって、すでに入力が確定している単数、あるいは複数の文字を対象としてその範囲を確定したのちに押し下げられた場合には、それらが小文字であった場合にはそれらを大文字に、それらが大文字であった場合にはそれらを小文字に転換するように設定される。【００６４】以上の諸発明を組み合わせることにより、本発明においては比較的に多数の、英文中において出現率
の高い字母を、本発明に言う英文入力表鍵盤上のキーを１度押し下げるだけで入力することができ、比較的少数の、英文中において出現率の低い字母は、本発明に言う鍵盤切替キーを押し下げた後に、英文入力裏鍵盤上のキーを１度押し下げることによって入力することが可能になる。
「符号入力問題の解決」【００６５】すでに発明の解決すべき課題の提示として触れたように、テンキー型の携帯入力端末における符号入力の困難は、すでに五十音の字母や五十音を表すアルファベット字母、あるいは英文入力のためのアルファベット２６字母の表記で埋め尽くされた鍵盤には、符号を表記する十分な余地が無く、必然的に画面のディスプレーに符号を表示して、この符号あるいは符号一覧を、カーソルによって捜し求めるという操作、すなわち字母入力における鍵盤操作とは異質でやや不安定、かつ一般的に操作回数の多い方法を取らざるを得ない点にある。【００６６】本発明はこの点について、和文入力鍵盤や英文入力鍵盤等の字母入力鍵盤とは別に、符号鍵盤すなわちもっぱら符号を入力するための鍵盤を設定し、別に設けた鍵盤切替キーを押し下げて、この符号鍵盤に入ることによって、上記の問題を解決しようとする。【００６７】この場合、現実のハードキーにはすでにアルファベット字母、平仮名字母、数字等が表記されているので、ここで設定された符号を現実のハードキーに表記することはできない。【００６８】そこで本発明においても一般的な方式と同様に、画面のディスプレー上に、符号鍵盤を表示することになる。【００６９】この場合、一般的な携帯入端末の場合には、この画面のディスプレー上に表示された符号を、カーソルによってたどって確定する方式が取られているが、この方式では字母入力の場合のように直接にキーを押し下げて入力する方式に比して、入力操作が不安定であり、画面のディスプレー上に表示された当該符号にたどり着くまでのジョグキー等の押し下げ回数は相当に多くなるのが普通である。【００７０】そこで本発明においては、この画面のディスプレー上に表示された符号鍵盤と現実の鍵盤とを対応させ、この画面のディスプレー上に表示された符号鍵盤のなかの必要とされるキーに対応する位置にある現実のキーを押し下げることによって、必要とされるキーが入力されるように設定する。【００７１】この発明によって、和文、英文あるいは数字の入力中に、鍵盤切替キーを一度押し下げるだけで、３行４列計１２個の符号から必要な符号を選択して入力することが可能となり、さらに鍵盤切替キーを連続してＮ度押し下げることにより、１２個のＮ倍の符号を選択対象とすることが可能となり、符号入力操作が大幅に合理化される。【００７２】以上に示したのは、本発明における符号入力問題の解決の骨格部分であるが、その内容をより具体的に説明すると、以下のようになる。【００７３】４行３列のテンキー型の携帯入力端末において、和文入力中、英文入力中、数字入力中それぞれの場合に、符号入力が必要とされる場面において、鍵盤切替キーを所定の回数連続して押し下げることによって、その押し下げ回数に従って必要な符号入力のための鍵盤が呼び出されるように設定された携帯入力端末。【００７４】４行３列の入力鍵盤とは異なった形態をもつ鍵盤、あるいはこれより多いキー数や少ないキー数をもった鍵盤において鍵盤切替キーを所定の回数押し下げることによって、必要な符号入力のための鍵盤が呼び出されるように設定された入力端末も本発明に属する。【００７５】４行３列のテンキー型の携帯入力端末において、和文入力中と数字入力中に、鍵盤切替キーを１度押し下げることによって入る符号入力のための鍵盤すなわち本発明に言う和文符号数字符号基本鍵盤の内容を、両者共通の、「」、『』、〃、  、（読点）、。（句点）、々、丶、，、．、ゝ、？（疑問符）、！（感嘆符）の１２個の符号からなるものとした携帯入力端末。【００７６】上記の４行３列のテンキー型の携帯入力端末において、和文符号数字符号基本鍵盤に含まれる符号を、４行３列の鍵盤の、最上端の最左列、すなわち鍵盤の第１行第１列目のキーを「」キーに、第２列のキーを『』キーに、第３列のキーを〃キーに、第２行第１列のキーを、（読点）キーに、第２列のキーを。（句点）キーに、第３列のキーを々キーに、第３行第１列のキーを丶キーに、第２列のキーを，（コンマ）キーに、第３列のキーを（ピリオド）キーに、第４行第１列のキーをゝキーに、第２列のきーを？（疑問符）キーに、第３列のキーを！（感嘆符）とするように設定した携帯入力端末。【００７７】上記の４行３列のテンキー型の携帯入力端末において、和文入力中、英文入力中、数字入力中それぞれの場合に、鍵盤切替キーを連続２度押し下げることによって入る符号鍵盤から、鍵盤切替キーを連続８度押し下げることによって入る符号鍵盤までの、７種の符号鍵盤の内容を、和文入力、英文入力、数字入力等の入力種の相違にかかわらず、鍵盤切替キーの押し下げ回数が同一である限り、同一の内容を持つように設定したた携帯入力端末。【００７８】上記の場合において、鍵盤切替キーを連続２度押し下げることによって入る符号入力のための鍵盤すなわち本発明に言う符号第１鍵盤の内容を、インターネット関係の符号を主とするものとし、鍵盤切替キーを連続３度押し下げることによって入る符号入力のための鍵盤すなわち本発明に言う符号第２鍵盤の内容を、括弧符号を中心とする符号を主とするものとし、鍵盤切替キーを連続４度押し下げることによって入る符号入力のための鍵盤すなわち符号第３鍵盤の内容を、日常生活に使用する単位符号を中心とする符号を主とするものとし、鍵盤切替キーを連続５度押し下げることによって入る符号入力のための鍵盤すなわち符号第４鍵盤の内容を、文章入力に常用する符号を中心とするものとし、鍵盤切替キーを連続６度押し下げることによって入る符号入力のための鍵盤すなわち符号第５鍵盤の内容を、簡単な図形符号とし、鍵盤切替キーを連続７度押し下げることによって入る符号入力のための鍵盤すなわち符号第６鍵盤の内容を、基本的な数学符号とし、鍵盤切替キーを連続８度押し下げることによって入る符号入力のための鍵盤すなわち符号第７鍵盤の内容を、やや高等な数学符号とした携帯入力端末。【００７９】上記の場合、これらの６種の符号入力鍵盤の入力に必要な鍵盤切替のためのキーの押し下げ数を互いに入れ替えた携帯入力端末も本発明に属する。【００８０】前記の場合において、本発明では符号第１鍵盤と呼ぶ、主としてメール、インターネット等に必要とされる基礎的符号を集成した鍵盤に含まれる諸符号を、：、；、・（中黒）、‘’、“”、／（スラッシュ）、￣（オーバーライン）‐（ハイフン）、＿（アンダーライン）、＊、＠、＃の合計１２個の符号とした携帯入力端末。【００���１】上記の場合において、主としてメール、インターネット等に必要とされる基礎的符号として、ディスプレー上に表示される諸符号を、４行３列のテンキー型の鍵盤の第１行第１列に、：（コロン）キーを、第２列に；（セミコロン）キーを、第３列に・（中黒）キーを、第２行第１列に‘’キーを、第２列に“”キーを、第３列に／キーを、第３行第１列に￣（オーバーライン）キーを、第２列に‐（ハイフン）キーを、第３列に＿（アンダーライン）キーを、第４行第１列に＊キーを、第２列に＠キーを、第３列に＃キーを表示するように設定した携帯入力端末。【００８２】前記の場合において、括弧符号を中心とする符号第２鍵盤の内容を、（）、［］、｛｝、〔〕、【】、＜＞、《》、○、←、〜、●、→の１２個の符号とした携帯入力端末。【００８３】前記の場合において、日常生活に使用する単位符号を中心とする符号第３鍵盤の内容を、￥、＄、£、¢、％、‰、ＴＥＬ、＆、Ｆａｘ、ｍ２、〒、Ｎｏ．の１２個の符号とした携帯入力端末。【００８４】前記の場合において、文章入力に常用する符号を中心とする符号第４鍵盤の内容を、°（度）、′（分）、″（秒）、♂、♀、§、‥（二点リーダ）…（三点リーダ）、※、´（アクサン・テギュ）、｀（アクサン・グラブ）、＾（アクサン・シルコンフレックス）の１２個の符号とした携帯入力端末。【００８５】前記の場合において、簡単な図形符号を中心とする符号第５鍵盤の内容を、◎、□、◇、◎、■、◆、△、▽、☆、▲、▼、★の１２個の符号とした携帯入力端末。前記の場合において、基本的な数学符号を中心とする符号第６鍵盤の内容を、＋、−、±、×、÷、＝、＞、≧、≒、＜、≦、≠、の１２個の符号とした携帯入力端末。【００８６】前記の場合において、やや高等な数学符号を中心とする符号第７鍵盤の内容を、∴、∵、√、∽、∞、∝、ｆ（ｘ）、ｆ’（ｘ）、≡、∫、∬、∂の１２個の符号とした携帯入力端末。【００８７】符号入力に関する以上の場合において、４行３列のテンキー型の携帯入力端末において呼び出される符号入力のための鍵盤すなわち和文符号数字符号基本鍵盤および、符号第１鍵盤から符号第７鍵盤までの、和文入力、英文入力、数字入力の３種の入力種に共通する符号鍵盤、さらにそれらに続く符号第８鍵盤およびそれ以降の符号入力鍵盤が、４行３列のテンキー型の鍵盤に対応した形態をもって、ディスプレーの画面上に表示されるように設定された携帯入力端末。【００８８】４行３列の入力鍵盤とは異なった形態をもつ鍵盤、あるいはこれより多いキー数や少ないキー数をもった鍵盤において、それぞれの符号入力鍵盤が、それぞれの鍵盤に対応した形態をもって、ディスプレーの画面上に表示されるように設定された力端末も本発明に属する。【００８９】符号入力に関する以上の場合において、ディスプレーの画面上に表示される符号入力のための鍵盤が、半透明で入力画面にかぶさる形で、あるいは不透明で入力画面の下部に置かれる形で、ディスプレーの画面上に表示されるように設定された携帯入力端末。【００９０】４行３列の入力鍵盤とは異なった形態をもつ鍵盤、あるいはこれより多いキー数や少ないキー数をもった鍵盤において、それぞれの符号入力鍵盤が、それぞれの鍵盤に対応した形態をもって、半透明で入力画面にかぶさる形で、あるいは不透明で入力画面の下部に置かれる形で、ディスプレーの画面上に表示されるように設定された力端末も本発明に属する。【００９１】符号入力に関する以上の場合において、画面に表示された諸符号のなかで現在入力対象として必要とされる符号の位置に対応した位置にある現実の鍵盤上のキーを押しさげると、その符号が入力されるように設定された携帯入力端末およびその他の入力端末。
「候補文字入力問題の解決」【００９２】すでに、発明が解決しようとする課題の部分で述べたように、テンキー型の携帯入力端末における和文入力のシステムを、一般的なパソコンの入力方式と比較した場合の大きな特徴は、携帯電話の場合にもっとも特徴的に示されるように、すでに入力された字母から、あるいはすでに入力された文脈から、あるいは入力時の時間的、空間的、社会的環境から、きわめて多数の入力候補文字が画面のディスプレー上に表示され、入力者はこの入力候補文字から、必要とされる文字を選ぶシステムが発達していることである。【００９３】すでに述べたように、これはきわめて重要な技術的発展であるが、実際にこの候補文字を選択する場合には、符号入力の場合と同様に、この候補文字の一覧を、カーソルによって捜し求めるという操作、すなわち字母入力における鍵盤操作とは異質でやや不安定、かつ一般的に操作回数の多い方法を取らざるを得ない点に問題がある。【００９４】そこで、本発明においては、すでに提示した符号入力の場合と同様の方式、すなわち画面のディスプレー上に表示された入力候補群の中から、必要な候補を選ぶ方式を、この場合にも採用することにより、この困難を克服する。【００９５】すなわち、携帯入力端末における和文や英文の入力中に、すでに入力された字母や文脈に基づいて、あるいは入力時の時間や環境によって、予測されあるいは推測されてディスプレーの画面に表示される候補文字を、４行３列の現実の鍵盤に対応する形で表示させ、シフトキーを押し下げたのちに、画面に表示される選ばれた候補文字の位置に対応する現実の鍵盤のキーを押し下げると、当該候補文字が入力されるように設定する。【００９６】以上の従来の方式に対応する候補文字の配列だけではなく、本発明が始めて提示する英文入力における相補性のある字母をふくむ単語に対する複数の候補単語入力の手続きにおいても同様に候補の単語群を４行３列の現実の鍵盤の形態に対応した形でディスプレーの画面に表示させ、シフトキーを押し下げたのちに、画面に表示された選ばれた候補文字の位置に対応する現実の鍵盤のキーを押し下げると、当該候補文字が入力されるように設定する。【００９７】ここで、まずシフトキーを押し下るのは、先の符号入力の場合には、鍵盤切替キーを押し下げた時点ですでに字母を入力する鍵盤を離れて符号を入力する鍵盤に入っているが、今回の候補文字の選択の場合は候補文字は和文や英文の入力中に参考として画面に示される段階にあるので、この和文や英文の入力中の状態を脱して、候補文字の選択と入力という新しい段階に入るための手続きとして、シフトキーを押し下るのである。【００９８】この画面の候補文字と鍵盤の対応という発明は、これとは異なった形態をもつ鍵盤の入力端末、あるいはこれより多いキー数や少ないキー数をもった鍵盤の入力端末の場合にも適用される。【００９９】こうして当該候補文字が入力されるとただちに通常の入力状況にもどるように設定する。【０１００】前記の場合において、画面に期待される候補文字が見つからなかった場合にはさらにもう１度、鍵盤切替キーを押し下げると、さらに新しい候補文字を配置した画面が出現し、この時点で前記と同様の操作を行うことによって、選ばれた候補文字が入力されるように設定し、必要に応じて以上の操作を繰り返して、選ばれた候補文字を入力し、入力した時点で、ただちに通常の入力状況にもどるように設定する。
【発明の効果】「和文入力の場合」【０１０１】以上のような本発明によって、和文入力の場合に、３行４列の１２個のキーに２４個のキーに匹敵するかそれ以上の入力機能を持たせることが可能となった。【０１０２】より具体的に言えば、たとえば、「発明の効果  和文入力の場合」と平仮名で入力する場合に、普通の英文字母２６文字を設定した、いわゆるｑｗｅｒｔｙボードを使用したパソコンの場合には、「ｈ、ａ、ｔ、ｕ、ｍ、ｅ、ｉ、ｎ、ｏ、ｋ、ｏ、ｕ、ｋ、ａ  ｗ、ａ、ｂ、ｕ、ｎ、ｎ、ｎ、ｙ、ｕ、ｕ、ｒ、ｙ、ｏ、ｋ、ｕ、ｎ、ｏ、ｂ、ａ、ａ、ｉ」となって、ここで読点で区切られた字数の回数、すなわち３５度のキーの押し下げによって、この文章は入力される。【０１０３】これに対して、この「発明の効果  和文入力の場合」と平仮名で入力する場合に、本発明による４行３列の１２個のキーをもついわゆるテンキー鍵盤の場合には、「ｈ、ａ、ｔ、ｕ、ｍ、ｅｉ、ｎ、ｏ、ｋ、ｏｕ、ｋ、ａ  ｗ、ａ、ｂ、ｕ、子音符、鼻音符、ｎ、拗音符、ｕｕ、ｒ、拗音符、ｏ、ｋ、ｕ、ｎ、ｏ、ｂ、ａ、ａｉ」となって、ここで読点で区切られた字数の回数、すなわち３１度のキーの押し下げによって、この文章は入力される。【０１０４】すなわち、本発明による４行３列のいわゆるテンキーを用いた携帯入力端末の方が、キー数が倍以上の一般のパソコンよりも優れた入力機能を持っているのである。【０１０５】また、本発明の場合には、子音用の鍵盤も母音用の鍵盤もともに五十音順の配列を取っているので、すくなくとも日本人にとっては、いわゆるｑｗｅｒｔｙボードを使用する場合よりは抵抗感が無くて近づきやすく、また入力の際の神経の疲労が軽減される。
「英文入力の場合」【０１０６】以上のように、本発明の英文入力における第一の特徴は、アルファベットに関して、１９個の字母あるいは字母の組み合わせの所在を把握するだけでよいので、通常のアルファベット入力に比して、入力方法の習得が簡単であり、ただ１度の鍵盤切替によって、全ての字母と主要な英文符号が呼び出せるため、通常のテンキーの場合のキー配置に比して、入力速度が格段に速いという点にあり、本発明によって、英文入力の場合に、３行４列の１２個のキーに２４個のキーに近い入力機能を持たせることが可能となった。【０１０７】より具体的に言えば、たとえば、「ｔｈｅ  ｅｆｆｅｃｔ  ｏｆ  ｔｈｅ  ｉｎｖｅｎｔｉｏｎ  ｉｎ  ｔｈｅ  ｃａｓｅ  ｏｆ  Ｅｎｇｌｉｓｈ  ｉｎｐｕｔ」とアルファベットで入力する場合に、普通の英文字母２６文字を設定した、いわゆるｑｗｅｒｔｙボードを使用したパソコンの場合には、両者に共通するスペースキーの入力を除き、ＥｎｇｌｉｓｈのＥの大文字化の手数を加えれば、字母の個数４６に１を加えて、４７度のキーの押し下げによって、この文章は入力される。【０１０８】これに対して、本発明による４行３列の１２個のキーをもついわゆるテンキー鍵盤の場合には、この「ｔｈｅ  ｅｆｆｅｃｔ  ｏｆ  ｔｈｅ  ｉｎｖｅｎｔｉｏｎ  ｉｎ  ｔｈｅ  ｃａｓｅ  ｏｆ  Ｅｎｇｌｉｓｈ  ｉｎｐｕｔ」とアルファベットで入力する場合には、１字母を入力するのに必要なキーの押し下げ数を字母の後ろの括弧の中に示すと、「ｔ（１）ｈ（１）ｅ（１）ｅ（１）ｆ（２）ｆ（２）ｅ（１）ｃ（１）ｔ（１）ｏ（１）ｆ（２）ｔ（１）ｈ（１）ｅ（１）ｉ（１）ｎ（１）ｖ（１）ｅ（１）ｎ（１）ｔ（１）ｉ（１）ｏ（１）ｎ（１）ｉ（１）ｎ（１）ｔ（１）ｈ（１）ｅ（１）ｃ（１）ａ（１）ｓ（１）ｅ（１）ｏ（１）ｆ（２）Ｅ（１）ｎ（１）ｇ（２）ｌ（２）ｉ（１）ｓ（１）ｈ（１）ｉ（１）ｎ（１）ｐ（２）ｕ（１）ｔ（１）」となって、合計５３度のキーの押し下げによって、この文章は入力される。【０１０９】ここでは、Ｅｎｇｌｉｓｈの場合の大文字があり、これは通常のパソコンの場合はシフトキーを押し下げながら入力するので２度のキーの押し下げが必要となり、実際の入力行為としては普通の２度のキーの押し下げより心理的負担は大きいが、とりあえずこれを２度のキーの押し下げとすると、本発明の場合は入力後に鍵盤切替キーを押し下げて英文入力裏鍵盤に入り、さらにそこで文字大小符を押し下げるので、２度の余分なキーの押し下げが必要となり、合計のキー押し下げ数は、５５度となる。【０１１０】これは、通常のパソコンの場合の４７度の１１７パーセントとなり、本発明による４行３列の１２個のキーをもついわゆるテンキー鍵盤の場合には、通常のパソコンの場合の１割増しから２割増しの間の押し下げ数で同様の内容の入力が可能となる。【０１１１】この割合は、本発明に言う英文入力表鍵盤に設定されたアルファベット字母と英文入力裏鍵盤に設定されたアルファベット字母の英語の文章中での出現率の比率によって規定されており、この点の詳細については、発明の実施例の部分で詳しくデータを示すが、ここで挙げた比率はより大量のデータによって検証した場合もほぼ同様である。【０１１��】従来の携帯端末の入力方式との比較においては、英文入力における本発明の優位性は和文入力の場合のそれ以上に明瞭であるが、その点は実施例に譲るとして、ただ一つ、従来の入力方法では、五十音を基礎とする和文入力と、１キーに３個乃至４個のアルファベット字母を設定した英文入力方式の間には、まったく操作上の共通性が無かったのに対して、本発明の場合には同一鍵盤中のキーの入力は、すべて１度のキーの押し下げによってなされるので、和文入力と英文入力が、その操作上、一定の共通性をもつに至ったことを指摘したい。【０１１３】上記の共通性は、従来の方式に比して、日本人が英語を入力し、欧米人が日本語を入力する際の心理的抵抗を著しく低減するものと予想される。
「符号入力の場合」【０１１４】従来の携帯入力端末における符号入力は、携帯電話を典型として、一旦符号入力に入り、そこから再び問題の符号の並べられたディスプレー上の画面を探し、さらにそこで数回のカーソルキーの操作によって、目的の符号にたどり着くという煩瑣な手続きを必要としていた。【０１１５】今、仮に携帯電話の符号呼び出し画面を、縦４個、横１０個の形を取っているとして、カーソルによって、必要な符号にまで到達し、さらに決定キーを押し下げてこれを入力するまでの、カーソルと決定キーの押し下げ回数の平均を求めると、それは次のような考え方によって計算できる。【０１１６】すなわち、画面の最左端、最上端の符号は、決定キーを１度押し下げることによって入力できるが、その右のキーと下のキーの入力にはカーソルを１度動かしたのちに決定キーを１度押し下げることが必要であり、合計の押し下げ回数は２度となり、さらに画面の最左端、最上端の符号から２個右のキーと２個下のキーの入力にはカーソルを２度動かしたのちに決定キーを１度押し下げることが必要であり、合計の押し下げ回数は３度となり、さらに画面の最左端、最上端の符号から３個右のキーと３個下のキーの入力にはカーソルを３度動かしたのちに決定キーを１度押し下げることが必要であり、合計の押し下げ回数は４度となる【０１１７】上記の場合、たとえば最左端、最上端の符号から３個右のキーと３個下のキーを結んだ線上にあるキーの入力には、最上端の符号から３個右のキーと３個下のキーに至る場合と同様に、カーソルキーの押し下げ回数と決定キーの押し下げ回数の合計は４度となる。【０１１８】上記の場合の最上端の符号から３個右のキーと３個下のキーを結んだ線上にあるキーから１個右のキーの入力には、さらにもう１度カーソルを動かす必要があるので、カーソルキーの押し下げ回数と決定キーの押し下げ回数の合計は５度となる。【０１１９】上記の場合の最上端の符号から３個右のキーと３個下のキーを結んだ線上にあるキーから２個右のキーの入力には、さらにもう１度カーソルを動かす必要があるので、カーソルキーの押し下げ回数と決定キーの押し下げ回数の合計は５度となる。【０１２０】この過程を繰り返して、最上端の符号から３個右のキーと３個下のキーを結んだ線上にあるキーから６個右のキーすなわち鍵盤の最右端、最上端のキーの入力に至って、カーソルキーの押し下げ回数と決定キーの押し下げ回数の合計は１０度となる。【０１２１】ここから、押し下げるべきキーの数は漸減して、残された３個のキーの入力には、カーソルキーの押し下げ回数と決定キーの押し下げ回数の合計は１１度となり、残された２個のキーの入力には、カーソルキーの押し下げ回数と決定キーの押し下げ回数の合計は１２度となり、最後の鍵盤の最右端、最下端のキーの入力には、カーソルキーの押し下げ回数と決定キーの押し下げ回数の合計は１３度となる。【０１２２】以上によって、この鍵盤のキーの総押し下げ数は、１、２、３、４かける４、５かける４、６かける
４、７かける４、８かける４、９かける４、１０かける４、１１かける３、１２かける２、１３かける１を合計した数、すなわち２７２度となる。【０１２３】この合計２７２度のキーの押し下げ回数を、キーの総数の４０で割った、６．８というのが、一般的な携帯電話の場合の、４０個の符号の呼び出しに必要な平均的なキーの押し下げ数である。【０１２４】これに対して、本発明の和文入力の場合を例に取れば、鍵盤切替キーを１度押し下げて入力できる符号は、１２個である。【０１２５】鍵盤切替キーを連続２度押し下げると、入力可能なキーは、さらに１２個増加する。【０１２６】鍵盤切替キーを連続３度押し下げると、入力可能なキーは、さらに１２個増加する。【０１２７】鍵盤切替キーを連続４度押し下げると、入力可能なキーは、さらに１２個増加するので、この段階で本発明における入力可能な符号は、合計４８個となる。【０１２８】すなわち、本発明の場合には、鍵盤切替キーを１度押し下げ、この鍵盤から必要なキーを選んで入力するために、さらに１度のキーの押し下げを要する符号が１２個、鍵盤切替キーを２度押し下げ、この鍵盤から必要なキーを選んで入力するために、さらに１度のキーの押し下げを要する符号が１２個、鍵盤切替キーを３度押し下げ、この鍵盤から必要なキーを選んで入力するために、さらに１度のキーの押し下げを要する符号が１２個、鍵盤切替キーを４度押し下げ、この鍵盤から必要なキーを選んで入力するために、さらに１度のキーの押し下げを要する符号が１２個となる。【０１２９】こうして、本発明の場合には、合計４８個の符号キーが、１２足す１２、１２足す２４、１２足す３６、１２足す４８の合計１６８回のキーの押し下げによって入力されることになり、１個の符号の入力に要するキーの平均的押し下げ数は、３．５となるが、これは４０個の符号キーを、平均６．８回のキー押し下げ数で呼び出す携帯電話の場合に比較して、呼び出せる符号数においても、呼び出す手間においても、大きく優位に立つ。【０１３０】ついで、一般的なパソコンの場合を例に取って本発明の符号入力の手続きとの比較を行う。【０１３１】一般的なパソコンの場合には、ハードキーの数が多いので、たとえば英文入力の場合に、直接に入力できる符号は、普通、１２個程度ある。【０１３２】さらに、シフトキーを押し下げながらの入力では、入力可能なキーは、普通、２２個程度増加する。【０１３３】これに対して、本発明の英文入力の場合を例に取れば、鍵盤切替キーを１度押し下げて入力できる符号は、４個である。【０１３４】さらに、鍵盤切替キーを連続２度押し下げると、入力可能なキーは、１２個増加する。【０１３５】さらに、鍵盤切替キーを連続３度押し下げると、入力可能なキーは、さらに１２個増加する。【０１３６】さらに、鍵盤切替キーを連続４度押し下げると、入力可能なキーは、さらに１２個増加する。【０１３７】以上によって、本発明の場合は、、鍵盤切替キーを連続４度押し下げる段階で、一般的なパソコンがシフトキーを１度押し下げながらの入力する場合に入力可能なキーの数とほぼ一致する。【０１３８】これは本発明の符号入力方式が、一般的なパソコンの場合と比較して、ほぼ３タッチほど多い押し下げ数を要することになる。【０１３９】しかし、本発明における符号入力システムには、従来の一般的なパソコンの場合と比較して優位に立つ部分がある。【０１４０】それはまず、鍵盤切替キーを押し下げて新しい符号入力鍵盤を呼び出すたびに、その４行３列の鍵盤がディスペレーの画面上に表示されるために、およそ４８個のキーからなる鍵盤上で必要な符号を探す必要のあるパソコンの場合に比して、入力者の心理的疲労が軽減される効果があるということである。【０１４１】また、本発明においては、鍵盤切替キーを５度以上連続して押し下げることにより、１度の押し下げごとに１２個の符号が呼び出せるので、多くの種類の符号が必要となった場合は、本発明の方式のほうが、一般的なパソコンの場合より、優れていると言える。
「候補文字入力の場合」【０１４２】小型携帯端末とりわけ携帯電話において著しく発達した技術に、候補文字を予測変換、推測変換して提示選択する方式があり、本来小型で制約の多い携帯入力端末の入力操作を大幅に合理化しており、候補文字入力の場合には、一般的に言って、携帯電話を典型とする携帯入力端末の方がパソコンの場合よりも一層周到な候補文字の提供に成功していると言える。【０１４３】これは、携帯電話を典型とする携帯入力端末の入力操作がパソコンに比して著しく困難であることから、その困難の軽減手段として発達してきたものと評価できるようである。【０１４４】しかし、この周到にして多数提供される候補文字の実際の入力に当たっては、やはり画面に表示された複数の候補文字を探しあて、数度のカーソルキーの押し下げによって、この候補文字に到達するという手続きが要求されるうえ、最初に提供された候補文字の一覧の中に必要な文字が見出されない場合には、さらに１度のカーソルキーの押し下げ毎に１個の候補文字が提供される形で、必要な候補文字を探索する必要があるので、最初に提供された候補文字の一覧の中に必要な文字が見出されない場合には、手続きが極めて煩瑣になる。【０１４５】この方式では、キーボードによる入力と異質のキー操作が要求されるだけではなく、カーソルが目的の字句に達するまでジョグキーを連続して押し下げながらディスプレーを注視する必要があり、入力時の神経の疲労の一因となっている。【０１４６】一般的な方式の場合には、もっとも早く候補文字を入力できる場合でも、カーソルを１度押し下げて候補を選び、これを決定キーの押し下げによって確定するが、本発明の場合には、ディスプレーの画面に表示される候補文字を現実の鍵盤と対応する形で配置し、必要とされる候補文字に対応した現実の鍵盤のキーを押下げることにより、候補文字を入力するので、シフトキーの押し下げを含めて、キーの２度の押し下げによって１２項目の候補文字のいずれをも入力することができる。【０１４７】さらに、候補文字が最初のディスプレーの画面に表示されなかった場合は、本発明ではさらにもう１度鍵盤切替キーを押下げることにより、さらに１２個の新しい候補文字を表示できるが、従来の方式では製品の仕組みによってそれぞれ差があるが、通常の方式では、同じ１２個の候補文字を探すためには、最初の画面の最後の候補の次までカーソルを移動させて、やっと新しい候補文字が一個見つかることになるので、一般的に新しく最小限１度、最大限１２度程度のキーの押し下げが必要となる。【０１４８】以下、本発明では続いて連続して鍵盤切替キーを押し下げるという同様の手続きを繰り返すことで１度のキーの押し下げ毎に、さらに１セット１２個の新しい候補文字を提示して入力することが可能になり、候補文字が簡単に見つからない場合ほど、本発明の優位性は高まる。【０１４９】また、本発明の英文入力の場合においては、１個のハードキーに複数の字母をわりあてるため、１度の入力で確定的な結果を齎しえず、いくつかの候補の単語の中から適当な単語を選ぶことになるので、この場合の入力には、ディスプレーの画面に複数の候補単語を表示することが必要になるが、その際にも、この上記の方式を採用することにより、複数の候補単語の中から必要な単語を選択することが容易に実現する。【０１５０】以上の、候補文字の入力は携帯入力端末がパソコンに対して優位を誇る分野であり、本発明ではその長所を生かしながら改良することにより、従来のパソコンと従来の携帯入力端末の双方に対して優越する新しい入力方式を提示することに成功した。
「総合的効果」【０１５１】本発明は、和文入力、英文入力、符号入力、候補文字入力の全ての面に亘って、従来の携帯入力端末の入力水準を高めることに成功したが、最後に強調して置きたいのは、これらの全ての面で、複数の鍵盤を用意して、それらを鍵盤の自動的あるいは手動的な切替によって呼び出し、中でも符号入力、候補文字入力の場合のように現実の鍵盤にそれらを表示できない場合に、それをディスプレーの画面に表示することにより、画面上の鍵盤と現実の鍵盤との対応性に基づいてそれらを容易に入力することを可能にし、そこからこれらの四つの入力方式の間に、一定の調和性を齎すことに成功したことである。【０１５２】パソコン入力の場合には、多数のキーの存在によって、的に実現していたこのような入力方式相互の間の調和性の携帯入力端末の場合における欠如、すなわち、五十音方式を取る和文入力、一個のキーに３個乃至４個のアルファベット字母を割り振る英語入力、もっぱらディスプレーの画面上のカーソル移動にたよる符号入力、候補文字入力というそれぞれ異質の３種の入力方式を備えた携帯入力端末の場合における一種の不安定性が、本発明によって払拭されたのである。【０１５３】以上によって、本発明は３行４列の１２個のキーをもついわゆるテンキー型の入力端末の入力速度を大幅に高めるとともに、一層安定した、ほぼ現行のパソコン並みの操作性を獲得することに成功した。
【実施例】「発明の焦点」【０１５４】本発明においては、従来テンキーと呼称されていた４行３列の鍵盤について、その１２個のキー部分に全体としてどのような字母、数字入力機能を与えるのかを中心的な課題とする。
「和文入力の場合」【０１５５】本発明は、和文入力の場合に、子音用の鍵盤すなわち本発明に言う和文入力表鍵盤と母音用の鍵盤すなわち和文入力裏鍵盤の自動的交代出現と合理的なキー配置という方法によって、小型鍵盤に対しても大型鍵盤と同等の入力機能を保障しようとするものである。【０１５６】本発明は、英文入力の場合に、二つの鍵盤を鍵盤切替キーによって切り替えること、およびこの二つの鍵盤のなかの最初に入る的な鍵盤に出現頻度の高い字母を集めることによって、小型鍵盤に対しても大型鍵盤と同等の入力機能を保障しようとするものである。【０１５７】本発明はまた、英文つづりの特性を利用して、この二つの鍵盤に割り当てられる個々のキーに複数の字母を配置することにより、より高い機能と操作性を備えた鍵盤を提供する。【０１５８】本発明は和文入力の高度な設計とそれに対応する英文入力方式や符号入力方式の高度な設計を目指すものであり、カーソル移動や画面スクロールあるいは入力決定等の的設計は現行の方式に準拠してジョグダイヤルや十字キー等のデバイスによって行う。【０１５９】本発明の追求する高度の和文入力方式を実現するための子音用の鍵盤すなわち本発明に言う和文入力表鍵盤と母音用の鍵盤すなわち本発明に言う和文入力裏鍵盤の交代的出現という方法のために、図１（ａ）（ｂ）（ｃ）のように、５行３列の鍵盤を、上部４行３列の記号入力キーと下部１行３列の操作キーとに分ける。【０１６０】下部１行３列の操作キーは、図１（ａ）（ｂ）（ｃ）のように、左から順に、鍵盤切替キー、シフトキー、入力種切替キーとする。【０１６１】この鍵盤切替キー、シフトキー、入力種切替キーの図面での表記は、鍵盤切替、シフト、入力切替となっている。【０１６２】このうち、入力種切替キーは、押し下げられるたびに、入力種が和文、絵文字、数字、英文の順に切替えられ、また、切替えた結果その時点で行われることになる入力種が画面最上部あるいは最下部に表示される。【０１６３】具体的に言えば、本発明における１２個のキーによる和文入力の場合には、図１（ａ）の子音用の鍵盤すなわち和文入力表鍵盤と、（ｂ）の母音用の鍵盤すなわち和文入力裏鍵盤のように、子音入力のための４行３列の字母入力鍵盤と母音入力のための４行３列の字母入力入力鍵盤という二つの鍵盤を用意する。【０１６４】この二つの鍵盤は、子音用の鍵盤すなわち和文入力表鍵盤に属するキーが押し下げられて子音あるいは子音扱いの字母が入力されると、鍵盤が自動的に母音用の鍵盤すなわち和文入力裏鍵盤に切り替えられ、母音用の鍵盤すなわち和文入力裏鍵盤が押し下げられて母音あるいは母音扱いの字母が入力されると、鍵盤が自動的に子音用の鍵盤すなわち和文入力表鍵盤に切り替えられるように、設定される。【０１６５】図１（ａ）の４行３列の子音用の鍵盤すなわち和文入力表鍵盤は、見られるように、最左端最上端の第１行第１列のキーを無音の子音符にあて、その右の第２列のキーをｋｇキーに、第３列のキーをｓｚキーに、第２行第１列のキーをｔｄキーに、第２列のキーをｎキーにあて、第３列のキーをｈｂキーにあて、第３行第１列のキーを拗音符に、第２列のキーをｍキーに、第３列のキーをｙキーに、第４行第１列のキーをｒキーに、第２列のキーをｗキーに、第３列のキーをｐキーに当てる。【０１６６】この子音用の鍵盤すなわち和文入力表鍵盤におけるキーの配列は、最左端最上端の第１行第１列のキーを無音の子音符にあて、続いて押し下げられる母音用の鍵盤すなわち和文入力裏鍵盤の母音キーをそのままの音で呼び出す役割を担わせる以外、それに続くその右の第２列のｋキー以下第４行第２列のｗキーに至るまで、ローマナイズの場合に五十音図の子音列を表す字母を順に並べ、最後に半濁音を表すｐキーを置いている。【０１６７】この子音用の鍵盤すなわち和文入力表鍵盤において、ｋに合わせてｇ、ｓに合わせてｚ、ｔに合わせてｄ、ｈに合わせてｂを設定するように、二つの字母の入力を担わされているキーにおいては、通常の押し下げの場合には、ｋキー、ｓキーに、ｔキー、ｈキーが入力されて清音となるが、通常よりやや長く押し下げた場合にはｇキー、ｚキーに、ｄキー、ｂキーが入力されて濁音となるように設定する。【０１６８】以上のように同一のハードキーに清音の字母とそれに対応する濁音のキーを同時に設定することによって、１キー１字母の設定に比して、ｇキー、ｚキーに、ｄキー、ｂキーの４個のキーが省略できる上、これらのキーを通常よりやや長く押し下げて濁音を入力するというシステムは、清音の仮名に二つの点を追加して濁音を示すという日本語の表記方法とも対応しており、入力時の神経の負担を相対的に軽減する。【０１６９】上記の子音用の鍵盤すなわち和文入力表鍵盤の場合、無音の子音符はいわば子音用の鍵盤の位取りとなり、その後に押し下げられるキーが母音用の鍵盤に属することを指示する。【０１７０】上記の子音用の鍵盤すなわち和文入力表鍵盤の場合、拗音符は特例として子音と母音の交替の規則に従わず、その直前に子音が入力されたあとに押し下げて、その子音を拗音化してそのあとの母音に続くように設定する。【０１７１】一歩進んで説明すれば、拗音符は無音の子音符とは逆に子音用の鍵盤すなわち和文入力表鍵盤の中に位を持たず、子音用の鍵盤のなかの子音を単に拗音化する役割をもっている。【０１７２】したがって、や、ゆ、よ等の単純な拗音の入力に当たっては、拗音符のキーを使用せず、子音用の鍵盤すなわち和文入力表鍵盤のｙキーを押し下げたあと、母音用の鍵盤すなわち和文入力裏鍵盤のあ、う、お等のキーを押し下げることにする。【０１７３】図１（ｂ）の４行３列の母音用の鍵盤すなわち和文入力裏鍵盤は、見られるように、最左端最上端の第１行第１列のキーを鼻音符にあて、その右の第２列のキーをａに、第３列のキーをｉに、第２行第１列のキーをｕに、第２列のキーをｅに、第３列のキーをｏに、第３行第１列のキーを文字大小符に、第２列のキーをａｉに、第３列のキーをｕｉに、第４行第１列のキーをｕｕに、第２列のキーをｅｉに，第３列のキーをｏｕに当てた鍵盤である。【０１７４】この子音用の鍵盤すなわち和文入力表鍵盤と母音用の鍵盤すなわち和文入力裏鍵盤は、すでに述べたように、和文入力に入った最初に子音用の鍵盤が機能し、拗音符の場合を除いて、子音用の鍵盤に属するキーが１度押し下げられると、直ちに自動的に母音用の鍵盤が呼び出されるように設定されている。【０１７５】同様に、母音用の鍵盤すなわち和文入力裏鍵盤はそれが呼び出された場合、そこで母音用の鍵盤に属するキーが１度押し下げられると、直ちに自動的に子音用の鍵盤すなわち和文入力表鍵盤が呼び出されるように設定する。【０１７６】上記の母音用の鍵盤すなわち和文入力裏鍵盤の場合に、子音と母音の交替を保障するために、第１行第１列の子音用の鍵盤の子音符に当たる位置に置かれた母音用のキーを鼻音符として、子音用の鍵盤の子音符のキーを押し下げた直後にこの同じハードキーを押し下げたばあい、この本来母音用のキーが先の子音符のキーと連結して鼻音の  ん  を入力するように設定する。【０１７７】この場合、最初に押し下げられたキーは子音用の鍵盤すなわち和文入力表鍵盤に属するものとして子音を表し、二度目に押し下げられた同じハードキーは母音用の鍵盤すなわち和文入力裏鍵盤に属する鼻音符として、形式上、鼻音の  ん  の母音部分を表すものとする。【０１７８】上記の母音用の鍵盤すなわち和文入力裏鍵盤の場合、第３行第２列から第４行第３列までの二重母音キーが、二重母音の漢字音の全てに対応していることは、すでにパソコンの鍵盤の設計の場合について、特許文献、特許公開平０５−２１６５７５および特許文献、特許公開平０６−０４３９８６において明らかにされている。【０１７９】たとえば、対応の対はｔ＋ａｉ、応は子音符＋ｏｕ、形式の形はｋ＋ｅｉ、遂行の遂はｓ＋ｕｉ、行はｋ＋ｏｕ、交通の交はｋ＋ｏｕ、通はｔ＋ｕｕである。【０１８０】ただし、渋滞の渋、入学の入、超越の超等の拗音を含んだ二重母音は、このような方式では入力できない。【０１８１】そこで、渋滞の渋の場合は、まずｚのあとに拗音符を入力し、続いてｕｕを入力し、入学の入は、まずｎのあとに拗音符を入力し、続いてｕｕを入力し、超越の超はまずｔのあとに拗音符を入力し、続いて子音符のあとにｏｕを入力することにする。【０１８２】すなわち、子音用の鍵盤すなわち和文入力表鍵盤の拗音符のキーは、子音用の鍵盤と母音用の鍵盤の交替のシステムに参加せず、それに直接先行して押し下げられた子音キーを拗音化し、そのあと引き続きそれ以外のキーが押し下げられた場合にはそれらのキーは鍵盤交替の規則によって母音用の鍵盤すなわち和文入力裏鍵盤のキーとして認識されて、ローマナイズによる平仮名入力がなされるのであり、母音用の鍵盤の押し下げのあとに子音用の鍵盤の押し下げとして拗音符のキーが押し下げられ、引き続き同じキーが押し下げられた場合にのみ、それは母音用の鍵盤に属する文字大小符と認識され、そのあとに押し下げられたキーは子音用の鍵盤のキーであると認識される。【０１８３】この文字大小符のキーがこの二つの鍵盤を使った文字入力の過程の中で押し下げられると、その直前の普通の大きさの字体は小型の字体に、小型の字体は普通の大きさの字体に変換される。【０１８４】また、カーソルキー等によって、すでに入力された文章の一部分が特定されたあとに、このキーが押し下げられると、この特定された部分が普通の大きさの字体であった場合にはそれが小型の字体に、小型の字体であった場合には、それが普通の大きさの字体に変換される。【０１８５】以上の子音用の鍵盤すなわち和文入力表鍵盤と母音用の鍵盤すなわ���和文入力裏鍵盤を総合して表示すると、図１（ｃ）のようになる。【０１８６】以上のように、本発明は和文入力においては、五十音図のローマナイズを基礎としているが、かならずしもアルファベットに親しみを持たない層に対して、現在一般の携帯入力に用いられている入力記号の平仮名表記を、そのバリエーションとして採用し、図２（ａ）（ｂ）（ｃ）のような鍵盤を提供する。【０１８７】すなわち、和文入力表鍵盤としての子音用の鍵盤を、図２（ａ）のように、その第１行の第１列に子音符、第２列に「かが」、第３列に「さざ」、第２行第１列に「ただ」、第２列に「な」、第３列に「はば」、第３行第１列に拗音符、第２列に「ま」、第３列に「や」、第４行第１列に「ら」、第２列に「わ」、第３列に「ぱ」のように設定し、和文入力裏鍵盤としての母音用の鍵盤を、図２（ｂ）のように、その第１行の第１列に鼻音符、第２列に「あ」、第３列に「い」、第２行第１列に「う」、第２列に「え」、第３列に「お」、第３行の第１列に文字大小符、第２列に「あい」、第３列に「うい」、第４行第１列に「うう」、第２列に「えい」、第３列に「おう」のように設定する。【０１８８】上記の和文入力表鍵盤としての子音用の鍵盤の機能と和文入力裏鍵盤としての母音用の鍵盤の機能とは、図１（ａ）（ｂ）（ｃ）に示された五十音図のローマナイズの子音と母音をそのままに記した鍵盤の場合とまったく同様である。【０１８９】すなわち、たとえば図２（ａ）の子音用の鍵盤すなわち和文入力表鍵盤の第２行第１列の「た」のキーを押し下げたあと、引き続き同じハードキーを押し下げると、このキーは、図２（ｂ）の母音用の鍵盤すなわち和文入力裏鍵盤の第２行第１列の「う」として読み取られ、あわせて「つ」が入力される。【０１９０】同様に、たとえば、図２（ａ）の子音用の鍵盤すなわち和文入力表鍵盤の第２行第２列の「な」のキーを押し下げたあと、引き続き同じハードキーを押し下げると、このキーは、図２（ｂ）の母音用の鍵盤すなわち和文入力裏鍵盤の第２行第２列の「え」のキーとして読み取られ、あわせて「ね」が入力される。【０１９１】同様に、二重母音の場合として、たとえば図２（ａ）の子音用の鍵盤すなわち和文入力表鍵盤の第２行第１列の「た」のキーを押し下げたあと、第３行第２列のハードキーを押し下げると、このハードキーは母音用の鍵盤すなわち和文入力裏鍵盤の第３行第２列の「あい」のキーとして読みとられ、あわせて「たい」の音が入力される。【０１９２】同様に、拗音化の場合として、図２（ａ）の子音用の鍵盤すなわち和文入力表鍵盤の第１行第２列の「かが」のキーを押し下げたあと、ハードキーの第３行の第１列の拗音符を押し下げると、「か」が拗音化されてそのあとに母音用の鍵盤すなわち和文入力裏鍵盤を要求し、引き続きたとえば図２（ｂ）の母音用の鍵盤の第１行第２列の「あ」のキーを押し下げると、「きゃ」が入力される。【０１９３】図１（ａ）（ｂ）の鍵盤によって、たとえば特許公開と入力するためには、表現の簡便化のために、これまで（キーの）押し下げと表現してきた部分を打と表現すると（以下同様）、ｔ（子音１打）ｏ（母音１打）ｔ（子音１打）ｕ（母音１打）（拗音符１打、文字大小符１打）ｋ（���音１打）ｙ（拗音符１打）ｏ（母音１打）ｋ（子音１打）ｏｕ（母音１打）ｋ（子音１打）ａｉ（母音１打）となり、計１３打となる。【０１９４】これに対して、現在の一般的な携帯端末の場合は、と（５打）っ（カーソル１打、６打）き（２打）ょ（５打）こ（５打）う（３打）か（１打）い（２打）で、計３１打となる上、１打で入力できる場合から計７打での入力に至るまで、ばらつきが大きくリズミカルな入力は不可能である。【０１９５】上記の特許文献３の場合には、同様の語彙を入力すると、と（２打）っ（カーソル１打、２打）き（２打）ょ（２打）こ（２打）う（２打）か（１打）い（２打）となって、計１６打となる。【０１９６】また、ここでの「特許公開」の例では濁音が含まれないが、たとえば「現在の特許法」というように、濁音の表示が入った場合、本発明ではキーの打数（押し下げ数）が増えないが、他の方式ではキーの打数（押し下げ数）が増える。【０１９７】したがって、本発明の打鍵数がもっとも少なく、また特許文献３の場合には、二つの指に異種の動きを与えるという操作性の問題があり、さらに英文等の入力種での問題は解決されていない。【０１９８】これに対して本発明の場合は、４行３列計１２個のハードキーを使用しながら、自動的子音母音交替のシステムによって、２６個のハードキーを使用するパソコンの字母入力鍵盤の機能とほぼ同等の機能をもたせることができる。
「英文入力の場合」【０１９９】現在一般的に使用されている携帯電話等の小型入力鍵盤における英文入力に際しての最大の問題は、ひとつのキーにａｂｃの場合のように３個の字母を割り当てるものから、ｐｑｒｓの場合のように４個の字母を割り当てるものまで、一つの字母の入力に３回から４回のキーの押し下げが必要であることである。【０２００】さらに、そこでは３回のキーの押し下げと４回のキーの押し下げが、混在することからくる入力リズムの狂いの問題がある。【０２０１】このような携帯電話等の小型入力端末における英文入力方式に共通する困難の的原因は、いわゆるテンキーすなわち本発明にいう１２キーにおける最大限１２個のハードキーにアルファベット２６文字を配置しなければならないという制約に起因している。【０２０２】しかし、アルファベット２６文字の英語単語の綴りに対する関係は、その字母としての歴史と関連して一様ではない。【０２０３】すなわち、アルファベット２６文字中、ｃとｋとｑ、ｇとｊ、ｓとｘ、ｖとｗの４組の字母は、綴り字に対する関係において、原則的に互いに相補的な関係にある。【０２０４】たとえばｋあるいはｑを含む任意のある英単語の綴りにおいて、原則としてそのなかにｋが使われる部分をｑに置き換えた単語は存在せず、逆にｑが使われる部分にｋが使われた単語も存在しない。【０２０５】こうして、ｋｅｙという単語が存在すれば、ｑｅｙという単語は存在せず、ｑｕｅｓｔｉｏｎという単語が存在すれば、ｋｕｅｓｔｉｏｎという単語は存在しない。【０２０６】これは、たとえばフランス語、ドイツ語をも含めて、印欧語系における字母表記においては、ｑ＋ｕがｋと等価の子音扱いになるためである。【０２０７】これほど明確ではないが、同様の関係がこのｋ、ｑとｃの間、およびｇとｊ、ｓとｘ、ｖとｗの３組の字母においても原則的に成立する。
「ｃとｋの間」【０２０８】小型辞書講談社パックス英和辞典（１９９２、６８０００項目収録）のすべてのｋに始まる単語を、中型辞書研究社リーダーズ英和辞典（１９８４、２６万項目収録）のすべてのｃに始まる単語と対照した結果、このｋをｃに書き換えても成立する単語は３９語であった。【０２０９】それらは、アルファベット順に記すと以下のようになる。【０２１０】Ｋａａｂａ、ｋａｂｏｂ、ｋａｆｔａｎ、ｋａｌｅｎｄｓ、ｋａｐｏｋ、ｋａｒａｋｕｌ、ｋａｒａｔ、Ｋａｓｂａｈ、Ｋｅｌｔ、Ｋｈｉ、ｋｌａｘｏｎ、ｋｌｅｐｔｍａｎｉａ、ｋｏｌａ、Ｋｏｐｅｃｋ、Ｋｏｒｅａ、ｋｒａａｌ、Ｋｕｒｄ、ＫＢ、ＫＣ、ｋｇ、ｋｍ、ｋｏ、Ｋｒ、ＫＳ、ｋｔ、ＫＹ、ｋａｒｔ、Ｋｅｎｔ、ｋｉｄ、ｋｉｎｄｅｒ、ｋｉｐ、ｋｉｔ、ｋｉｔｅ、ｋｌａｎ、ｋｏｏｋ、ｋｏｓｈｅｒ、ｋｒａｆｔ、ｋｒｏｎｅ。【０２１１】上記単語中、ＫａａｂａからＫｕｒｄまでの１８語はｃ、ｋいずれの表記を用いても同じ実体を表すものであり、ＫＢからＫＹまでの９語が略語であり、ｋａｒｔからｋｒｏｎｅまでの１２語が異なった実体を指す単語である。【０２１２】上記単語中、固有名詞すなわち大文字始まることによって、書き換えても成立する単語との相互識別が可能な単語がｃに始まる単語に１個（Ｃｉｄ→ｋｉｄ）、ｋに始まる単語に１個（ｃｌａｎ→ｋｌａｎ）計２個ある。【０２１３】したがって、略語のように本来一字一字入力すべき語と、ＫａａｂａとＣａａｂａのようにまったく同じ実体を二様に表記することが許されている場合を除いて、入力に本当に困難が起きるのは、ｋａｒｔからｋｒｏｎｅまでの１２語の中から２語を差し引いた１０語ということになる。【０２１４】これらの単語は、上記の一覧表からわかるように、固有名詞を除いてその大部分が日常あまり使用されない語彙である。【０２１５】したがって登録された単語と入力された単語を引き当てるという操作の対象となる単語は、少数である上に、これらの単語が入力の対象となる事態そのものの出現の可能性も高くは無い。【０２１６】そして、これらの単語の入力が必要な場合には、たとえばｋａｒｔとｃａｒｔ、ｋｒｏｎｅとｃｒｏｎｅの二語を画面に表示して、そのいずれかを選ぶことになる。【０２１７】以上によって、ｃとｋを一つのハードキーに属せしめた鍵盤によって、ｃとｋにそれぞれ一つのハードキーを与えた鍵盤とほとんどの場合に同じ働きを実現することが可能となる。
「ｃとｑの場合」【０２１８】講談社パックス英和辞典（１９９２、６８０００項目収録）のすべてのｑに始まる単語を、研究社リーダーズ英和辞典（１９８４、２６万項目収録）のすべてのｃに始まる単語と対照した結果、このｑをｃに書き換えても成立する単語は４語であった。【０２１９】それらは、アルファベット順に記すとＱＢ，ｑｒ，ｑｖ  Ｑｕｅという４個の略語のみであった。【０２２０】上記単語中、Ｑｕｅは大文字固有名詞のＱｕｅｂｅｃの略語であり、ｃｕｅという普通名詞に対応しており、容易に区別できる。【０２２１】したがってｃとｑを一つのハードキーに属せしめた鍵盤によって、ｃとｑにそれぞれ一つのハードキーを与えた鍵盤とほとんどの場合に同じ働きを実現することが可能となる。
「ｋとｑの場合」【０２２２】講談社パックス英和辞典（１９９２、６８０００項目収録）のすべてのｑに始まる単語を、研究社リーダーズ英和辞典（１９８４、２６万項目収録）のすべてのｋに始まる単語と対照した結果、このｑをｋに書き換えても成立する単語はＱａｔａｒとＫａｔａｒの場合の１語のみであった。【０２２３】そしてこの場合、このＱａｔａｒとＫａｔａｒはともにアラビア半島のカタールを表しており、二つの表記の双方が通用している。【０２２４】したがって、ｋとｑを一つのハードキーに属せしめた鍵盤によって、ｋとｑにそれぞれ一つのハードキーを与えた鍵盤と実質上同じ働きを実現することが可能となる。
「ｇとｊの場合」【０２２５】講談社パックス英和辞典（１９９２、６８０００項目収録）のすべてのｊに始まる単語を、研究社リーダーズ英和辞典（１９８４、２６万項目収録）のすべてのｇに始まる単語と対照した結果、このｊをｇに書き換えても成立する単語は３５語であった。【０２２６】それらは、アルファベット順に記すと以下のようになる。
ｊａｇ，ｊａｉｌｅ，Ｊａｌ，ｊａｍ，Ｊａｍｅｓ，ｊａｎｇｌｅ，ｊａｐｅ，ｊａｒ，Ｊａｓ，ｊａｕｎｔ，ｊａｙ，ｊｅｅｐ，Ｊｅｒ，ｊｅｒｒｙ，ｊｅｓｔ，ｊｅｔ，ｊｉｂ，ｊｉｇ，ｊｉｇｇｌｅ，ｊｉｌｌ，ｊｉｅｔ，ｊｉｎｋ，
ｊｉｖｅ，ｊｏｂ，ｊｏｃｋ，ｊｏｇｇｌｅ，ｊｏｌｌｙ，ｊｏｓｈ，ｊｏｔ，ｊｏｙ，ｊｕｍｂｏ，Ｊｕｎ，ｊｕｎｋ，ｊｕｓｔ，ｊｕｔ。【０２２７】上記３６単語中、固有名詞すなわち大文字で始まることによって、書き換えても成立する単語との相互識別が可能な単語がｊに始まる単語に５個（Ｊａｌ，Ｊａｍｅｓ，Ｊａｓ，Ｊｅｒ，Ｊｕｎ）、ｇに始まる単語に１個（ｊｅｒｒｙ→Ｇｅｒｒｙ）計６個ある。【０２２８】これらの３５個の単語は、上記の一覧表からわかるように、固有名詞を除いてその大部分が日常あまり使用されない語彙である。【０２２９】これらの単語の中で固有名詞すなわち大文字から始まることによって、書き換えても成立する単語との相互識別が可能な単語を除いた日常的に使用される単語、たとえば、ｊｏｂ，ｊｏｙ，ｊｕｓｔ等のｊに始まる単語に対応するｇに始まる単語はそれぞれ、ｇｏｂ，ｇｏｙ，ｇｕｓｔ等の非日常的な語彙であり、逆にｇａｐｅ，ｇｅｔ，ｇｉｖｅ，ｇｏｔ，ｇｕｎ等のｇに始まる日常的に使用される単語に対応するｊに始まる単語はそれぞれ、ｊａｐｅ，ｊｅｔ，ｊｉｖｅ，ｊｏｔ等の非日常的な語彙である。【０２３０】したがって単語登録の機能により、入力時に使用頻度の高い単語を選択すべき第一候補として画面に表示し、とくに選択行為を行わない限り、この単語が選択されるように設定することにより、ｊとｇを一つのハードキーに属せしめた鍵盤によって、ｊとｇにそれぞれ一つのハードキーを与えた鍵盤とほとんどの場合に同じ働きを実現することが可能となる。
「ｓとｘの場合」【０２３１】講談社パックス英和辞典（１９９２、６８０００項目収録）のすべてのｘに始まる単語を、研究社リーダーズ英和辞典（１９８４、２６万項目収録）のすべてのｓに始まる単語と対照した結果、このｓをｘに書き換えても成立する単語は１２語であった。【０２３２】それらは、アルファベット順に記すと、Ｘｅ，Ｘｉ，Ｘｉａｎ，Ｘｉａｎｇ，Ｘｉａｎｇｔａｎ，Ｘｉｎｇ，Ｘｉｎｉｎｇ，ＸＬ，Ｘｎ，ＸＲ，ＸＴ，ＸＸのようになる。【０２３３】ただし、これらの単語のうちＸｅ，Ｘｉはそれぞれギリシャ語のクセノンとクシーの略であり、Ｘｉａｎ，Ｘｉａｎｇ，Ｘｉａｎｇｔａｎ、Ｘｉｎｉｎｇはそれぞれ中国の地名のローマナイズであるとともに、双方の表記がともに通用している。【０２３４】さらに上記８単語中、固有名詞すなわち大文字で始まることによって、書き換えて成立した単語との相互識別が可能な単語がｘに始まる単語に１個（Ｘｉｎｇ）あり、またピリオドの有無や単語中の大文字と小文字の相違から識別可能な場合が、ＸＬとＸｎ、ＸＴの３例がある。【０２３５】したがって、入力時に識別不可能な単語は、ＸＲ（ｅｘ  ｒｉｇｈｔｓすなわち新株特権落ち）とＳＲ（すなわちＳｗｉｓｓａｉｒの国際航空略称）およびＸＳ（ｅｘｔｒａ  ｓｍａｌｌ）とＳＳ（ナチスの親衛隊）の２単語のみである。【０２３６】したがって単語登録の機能により、入力時の文脈にふさわしい単語を選択すべき候補として画面に表示し、とくに選択行為を行わない限り、この単語が選択されるように設定することにより、ｓとｘを一つのハードキーに属せしめた鍵盤によって、ｓとｘにそれぞれ一つのハードキーを与えた鍵盤とほとんど同じ働きを実現することが可能となる。
「ｖとｗの場合」【０２３７】講談社パックス英和辞典（１９９２、６８０００項目収録）のすべてのｖに始まる単語を、研究社リーダーズ英和辞典（１９８４、２６万項目収録）のすべてのｗに始まる単語と対照した結果、このｖをｗに書き換えても成立する単語は次項に記す４１語であった。【０２３８】Ｖａ，ＶＡ，Ｖａｃ，ｖａｉｎ，ｖａｌｅ，ｖａｎ，ｖａｎｅ，ｖａｎｔａｇｅ，ｖａｒ，ｖａｒｙ，ｖａｓ，ｖａｓｅ，ｖａｓｔ，ｖａｔ，ＶＡＴ，ｖｂ，ｖｅａｌ，ｖｅｅｐ，ｖｅｉｌ，ｖｅｌｄ，Ｖｅｎ，
ｖｅｎｄ，ｖｅｎｔ，ｖｅｒ，ｖｅｒｔ，ｖｅｓｔ，ｖｅｔ，ｖｅｘ，ＶＦ，ｖｉｌｅ，ｖｉｎ，ｖｉｎｅ，ｖｉｎｏ，ｖｉｓ，ｖｉｓｅ，ｖｉｚ，ｖｏｌｌｅｙ，ｖｏｗ，ＶＰ，ＶＳ，ｖｖ。【０２３９】上記３６単語中、固有名詞すなわち大文字から始まることによって、書き換えても成立する単語との相互識別が可能な単語がｖに始まる単語に１個（Ｖｅｎ）、ｗに始まる単語に５個（Ｗａｃ．ＷＡＣ→ｖａｃ、Ｗａｎ→ｖａｎ、Ｗｅｉｌ→ｖｅｉｌ、Ｗｅｘ→ｖｅｘ、ＷＶ、ＷＷ、Ｗ．Ｗ．→ｖｖ）あり、さらにそれ以外に本来省略語として、単字の入力の必要なものが計６個（Ｖａ、ＶＡ、ＶＦ、ＶＰ、ＶＳ）ある。【０２４０】また以上の大文字から始まる例を除いたこれらの単語は、上記の一覧表からわかるように、その大部分が日常あまり使用されない語彙である。【０２４１】さらに、これらの単語の中で日常的に使用する単語、たとえば、ｖａｉｎ、ｖａｒｙ、ｖａｓｅ、ｖａｓｔ、ｖｏｌｌｙ等のｖに始まる単語に対応するｗに始まる単語はそれぞれ、ｗａｉｎ、ｗａｒｙ、ｗａｓｅ、ｗａｓｔ、ｗｏｌｌｙ等の非日常的な語彙であり、逆にｗｅｎｔ、ｗｅｓｔ、ｗｅｔ、ｗｉｎ、ｗｉｎｅ、ｗｉｓｅ等のｗに始まる日常的に使用される単語に対応するｖに始まる単語はそれぞれ、ｖｅｎｔ、ｖｅｓｔ、ｖｅｔ、ｖｉｎ、ｖｉｎｅ、ｖｉｓｅ等の非日常的な語彙あるいは明らかに相対的に使用頻度が低い語彙である。【０２４２】したがって単語登録の機能により、入力時に使用頻度の高い単語を選択すべき候補として画面に表示し、とくに選択行為を行わない限り、この単語が選択されるように設定することにより、ｖとｗを一つのハードキーに属せしめた鍵盤によって、ｖとｗにそれぞれ一つのハードキーを与えた鍵盤とほとんどの場合に同じ働きを実現することが可能となる。
「子音と半母音および母音の表記における相補性」【０２４３】一方、同様の相補的な関係は、子音と半母音および母音の間にも成立する。【０２４４】このような関係が典型的に現れるのは、半母音ｙと母音ｉの間である。
「半母音ｙと母音ｉの間」【０２４５】すなわち、一つの単語において、その綴りの中のｙとｉを置き換えて成立する単語は原則的に存在しない。【０２４６】これは、ｙとｉの音価が本来同じであり、それが子音として扱われる場合、すなわちｙが語尾に来る場合と語頭に来てその後に母音を要求する場合にｙと表記され、それが母音として扱われる場合、すなわちｉが語中に来る場合と語頭に来てその後に子音を要求する場合にｉと表記されるからである。【０２４７】きわめて例外的に、ｔｙｐｅ、ｍｅｔａｐｈｙｓｉｃａｌ、ｄｙｎａｓｔｙ、ｌｏｙａｌ、ａｎｏｎｙｍｏｕｓ、ｓｙｓｔｅｍ、ａｎａｌｙｓｉｓやそれから派生した語彙などの語中に母音的扱いのｙが存在するがあるが、そうした語彙にあっても、そのなかのｙをｉに置き換えた単語すなわち、ｔｉｐｅ、ｍｅｔａｐｈｉｓｉｃａｌ、ｄｉｎａｓｔｙ、ｌｏｉａｌ、ａｎｏｎｉｍｏｕｓ、ｓｉｓｔｅｍ、ａｎａｌｉｓｉｓ等の語は原則的に存在しない。
「半母音ｗと母音ｕの間」【０２４８】先に、ｖとｗが英文綴りにおいて相補的な関係にあることについて述べたが、、子音ｖと母音ｕ、半母音ｗと母音ｕについても、半母音ｙと母音ｉの場合とほぼ同様な相補関係が成立する。【０２４９】まず、半母音ｗと母音ｕの場合について見ても、一つの単語において、その綴りの中のｗとｕを置き換えて成立する単語は原則的に存在しない。【０２５０】これは、ｗとｕの音価が本来同じであり、それが子音として扱われる場合、すなわちｗが語尾に来る場合と語頭に来てその後に母音あるいはｈ（ｗｈａｔ、ｗｈｉｃｈ、ｗｈｅｒｅ、ｗｈｏ、ｗｈｅｎ、ｗｈｙ、ｗｈｅｔｈｅｒ、ｗｈｉｌｅ、ｗｈｉｔｅ等）とｒ（ｗｒｅｓｔｌｅ、ｗｒａｐ、ｗｒｉｓｔ、ｗｒｉｔｅ、ｗｒｏｎｇ等）という特定の子音を要求する場合および語中に来てその後ろに母音を持つ場合にｗと表記され、それが母音として扱われる場合、すなわちそれが語中や語頭に来てその後に子音を要求する場合にｕと表記されるからである。【０２５１】きわめて例外的に、ｄｏｗｎ、ｄａｗｎ、ｐｏｗｄｅｒ等の、その後ろにｎやｄを持つ少数の場合や、ｇｒｏｗ‐ｔｈ等のここでハイフンを入れて示すよう、その前後に他の言葉があってそのために語中に位置してその後ろに子音を持つようになった合成語の場合に母音的扱いのｗが存在することがあるが、そうした語彙にあっても、そのなかのｗをｕに置き換えた単語は原則的に存在しない。
「半母音ｖと母音ｕの間」【０２５２】次に、半母音ｖと母音ｕの場合について見ても、一つの単語において、その綴りの中のｖとｕを置き換えて成立する単語は原則的に存在しない。【０２５３】これは、ｗとｕと同様に、ｖとｕの音価が本来同じであり、それが子音として扱われる場合、すなわちｖがｖｅの形で語尾に来る場合と語頭や語中に来て、その後に母音を要求する場合にｖと表記され、語頭や語中に置かれてその後ろに子音を要求する場合にｕと記されるからである。【０２５４】この場合、例外的に、ｓｕｉｔ、ｒｅｃｒｕｉｔ等の場合、ｔｒｕｅ、ｃｏｎｔｉｎｕｅ、ｉｓｓｕｅ等の場合、ｒｅｑｕｅｓｔ、ｅｑｕｉｖｏｃａｌ、等の場合、ｇｒａｄｕａｌ等の場合、ｃｏｎｔｉｎｕｏｕｓ等の場合など、定型的にｕがその後ろに母音表記を求める場合があるが、そうした語彙にあっても、そのなかのｕをｖに置き換えた単語は存在しない。【０２５５】以上の結果によって、同一のハードキーにｃとｋとｑ、ｇとｊ、ｓとｘ、ｕとｖとｗ、ｉとｙという二つのあるいは三つの字母を同時に設定することができる。【０２５６】たとえばｃとｑとｋをあわせたハードキーを仮に＊印キーと表記した場合、ｑｕｅｓｔｉｏｎという単語は、＊ｕｅｓｔｉｏｎと入力されることになる。【０２５７】一方、携帯端末のメモリーには、ｑｕｅｓｔｉｏｎという単語を登録しておき、＊ｕｅｓｔｉｏｎという入力が、この登録と照合させることによって、正しくｑｕｅｓｔｉｏｎと表示入力されるように設定する。【０２５８】この場合、すでに示したような極めて少数の例外もあるが、この場合には、両単語をともに選択すべき候補として表示して改めて必要単語を確定することにする。【０２５９】以上の工夫によって、小型の入力鍵盤においては、最小限１９個のキーでアルファベットの入力が可能になる。【０２６０】そこで、この１９個のキーを二つの鍵盤に割り当ててこの二つの鍵盤を鍵盤切替キーを押し下げることによって切り替えるように設定すれば、キーの押し下げ回数の減少とリズミカルな入力という二つの問題を、同時に解決することができる。【０２６１】この１９個のキーを二つの鍵盤に割り当てる場合に問題になるのは、最初に入る鍵盤にどの字母を設定するのかという問題である。【０２６２】少しでも英文になじんだ人間なら、ｑやｋ、あるいはｘなどの字母の英文における出現頻度が低く、逆に母音字母の出現頻度が全体的に高いことは、容易に推測できる。【０２６３】このような英文におけるアルファベット字母の出現頻度を確認するために、ほぼスタンダードな英語と見なしうるものとして、インターネット上のアメリカ合衆国憲法、およびそれに関連する行事の紹介の英文をアトランダムに集成して、そこでのアルファベット字母の出現頻度を検討する。【０２６４】集成の結果得られた英文は、合計４４３８４字母（コンマ、ピリオド等の符号を含む）となったが、各字母（コンマ、ピリオド等の符号を含む）の出現数は、ａ（３４００）、ｂ（７１０）、ｃ（１５２３）、ｄ（１５２９）、ｅ（５４４８）、ｆ（１０４４）、ｇ（７０７）、ｈ（２２１６）、ｉ（３０９３）、ｊ（１６４）、ｋ（１５３）、ｌ（１８８２）、ｍ（１０４５）、ｎ（３３７１）、ｏ（３３１９）、ｐ（８１３）、ｑ（３８）、ｒ（２７３７）、ｓ（２９１３）、ｔ（４０４９）、ｕ（１１２５）、ｖ（４９３）、ｗ（５３０）、ｘ（１９３）、ｙ（６２０）、ｚ（３６）、，（６６７）、．（４７６）、？（５）、！（４）、：（７２）、；（５９）となる。【０２６５】以上の結果に基づいて、本発明においては、英文入力の際に最初に入る鍵盤すなわち本発明に言う英文入力表鍵盤に属する字母を載せたキーを、ａ、ｃ（ｋｑを含む。以下ｃｋｑと表記する）、ｄ、ｅ、ｈ、ｉ（ｙを含む。以下ｉｙと表記する）、ｎ、ｏ、ｒ、ｓ（ｘを含む。以下ｓｘと表記する）、ｔ、ｕ（ｖｗを含む。以下ｕｖｗと表記する）の１２個のキーとする。【０２６６】したがって、英文入力の場合に、この鍵盤すなわち英文入力表鍵盤を使っての入力中に鍵盤切替キーを押し下げて入る鍵盤すなわち英文入力裏鍵盤に属する字母（符号を含む）を載せたキーを、アルファベット２６字母から上記の字母を差し引いた残りのｂ、ｆ、ｇ（ｊを含む。以下ｇｊと表記する）、ｌ、ｍ、ｐ、ｚの７個のキーとし、これに、，（コンマ）、．（ピリオド）、？（疑問符）、！（感嘆符）の４個の英文の基礎的符号を加えると、計１１個のキーが必要となる。【０２６７】さらに、英文入力には、小文字と大文字の書き換えが必須の機能であり、このために上記の英文入力表鍵盤を使っての入力中に鍵盤切替キーを押し下げて入る鍵盤すなわち英文入力裏鍵盤に文字大小符を置く。【０２６８】この文字大小符は、より具体的には、英文入力裏鍵盤に入って、文字大小符のキーを押し下げると、その直前に入力された、あるいは入力後さらに確定された小文字を大文字に、大文字を小文字に転換するように、設定する。【０２６９】さらに、すでに入力済みの単数あるいは複数の字母あるいは単語をカーソルによって指定したのちに、文字大小符のキーを押し下げると、この指定された部分が小文字であった場合はそれを大文字に、大文字であった場合にはそれを小文字に転換するように設定する。【０２７０】本発明においては、上記のａ、ｃ（ｋｑを含む）、ｄ、ｅ、ｈ、ｉ（ｙを含む）、ｎ、ｏ、ｒ、ｓ（ｘを含む）、ｔ、ｕ（ｖｗを含む）の１２キーからなる英文入力表鍵盤とｂ、ｆ、ｇ（ｊを含む）、ｌ、ｍ、ｐ、ｚの７個の字母キーと文字大小符、，（コンマ）、．（ピリオド）、？（疑問符）、！（感嘆符）キーの５個の符号キーからなる英文入力裏鍵盤を設定して、この二つの鍵盤を、鍵盤切替キーによって切り替える方式を採用する。【０２７１】本発明は、英文入力表鍵盤の具体的な字母の配列方式として、五十音図による字母配列を取り入れて、本発明における和文入力方式との融和を図った英文入力表鍵盤和文対応型とアルファベットの配列方式に全面的に依拠した英文入力表鍵盤英語型の２方式を提案する。【０２７２】英文入力表鍵盤和文対応型の場合の字母配置は、図３（ａ）に示すように本発明における和文入力方式との相関を求めて、１２キーの第１行第１列にａ、第２列にｉｙ、第３列にｕｖｗ、第２行第１列にｅ、第２列にｏ、第３列にｄ、第３行第１列にｃｋｑ、第２列にｓｘ、第３列にｔ、第４行第１列にｎ、第２列にｈ、第３列にｒのキーを配置する。【０２７３】英文入力裏鍵盤和文対応型の場合の字母配置は、図３（ｂ）に示すように、和文入力方式との相関を捨てて、アルファベットに対応した形で、１２キーの第１行第１列にｂ、第２列にｆ、第３列にｇｊ、第２行第１列にｌ、第２列にｍ、第３列にｐ、第３行第１列に文字大小符、第２列に，（コンマ）、第３列に．（ピリオド）、第４行第１列にｚ、第２列に？（疑問符）、第３列に！（感嘆符）のようにキーを配置する。【０２７４】英文入力表鍵盤英語型の場合の字母配置は、図４（ａ）に示すように、１２キーの第１行第１列にａ、第２列にｃｋｑ、第３列にｄ、第２行第１列にｅ、第２列にｈ、第３列にｉｙ、第３行第１列にｎ、第２列にｏ、第３列にｒ、第４行第１列にｓｘ、第２列にｔ、第３列にｕｖｗのキーを配置する。【０２７５】英文入力裏鍵盤英語型の場合の字母配置は、図４（ｂ）に示すように、和文入力方式との相関を捨てて、アルファベットに対応した形の、図３（ｂ）の英文入力裏鍵盤和文対応型の場合の字母配置とまったく同様に、１２キーの第１行第１列にｂ、第２列にｆ、第３列にｇｊ、第２行第１列にｌ、第２列にｍ、第３列にｐ、第３行第１列に文字大小符、第２列に，（コンマ）、第３列に．（ピリオド）、第４行第１列にｚ、第２列に？（疑問符）、第３列に！（感嘆符）のようにキーを配置する。【０２７６】本発明においては、以上のように設定された英文入力表鍵盤での入力中に鍵盤切替キーを１度押し下げると、同様に以上のように設定された英文入力裏鍵盤に入るように、またこの英文入力裏鍵盤での入力が１度なされると直ちに自動的に鍵盤が英文入力表鍵盤に切替られるように設定する。【０２７７】先に、合衆国憲法関係の文献合計４４３８４字母（コンマ、ピリオド等の符号を含む）を集計した結果を示したが、その結果を当てはめて考えれば、この合計４４３８４の字母の中で英文入力表鍵盤に対応するのは、３６５０９字母（コンマ、ピリオド等の符号を含む）、英文入力裏鍵盤に対応するのは、７８７５字母（コンマ、ピリオド等の符号を含む）となり、総計４４３８４字母（コンマ、ピリオド等の符号を含む）に対して、前者は８２．２５％、後者は１７．７５％となる。【０２７８】そこで、本発明の英文入力の場合においては、全打数（キーの押し下げ数）の８割強が、表鍵盤によって１度のキーの押し下げによって行われることになり、入力が著しく容易になるが、ことにその英文入力表鍵盤和文対応型においては、あ、か、さ、た、な、は、ま、や、ら、わ、の順として
観念できるキー配置で、全打数（キーの押し下げ数）の８割強が入力できることになり、日本人にとって、タッチタイピングへの接近が極めて容易になり、感覚的に日本人に受け入れられやすい方式となっている。【０２７９】これに対して、英文入力鍵盤英語型は、英文入力表鍵盤英語型と英文入力裏鍵盤英語型ともに、字母の配列が完全にアルファベットの順になされており、その意味で欧米のネイティブを対象として通用するものとなっている。【０２８０】今仮に、この図３（ａ）の英文入力表鍵盤和文対応型を表、図３（ｂ）の英文入力裏鍵盤和文対応型を裏、鍵盤切替キーを換、と表記して、ｈａｒｄ  ｋｅｙと入力する場合の打鍵数を示すと、ｈ（表１打）ａ（表１打）ｒ（表１打）ｄ（表１打）ｋ（表１打）ｅ（表１打）ｙ（表１打）となり、計７打での入力が可能となる。【０２８１】また、図４（ａ）の英文入力表鍵盤英語型、図４（ｂ）の英文入力裏鍵盤英語型の場合にも、それぞれの鍵盤に含まれるキーの内容は同一であるから、ｈａｒｄ  ｋｅｙと入力する場合の打鍵数は同様に、ｈ（表１打）ａ（表１打）ｒ（表１打）ｄ（表１打）ｋ（表１打）ｅ（表１打）ｙ（表１打）となり、計７打での入力が可能となる。【０２８２】これを、一般的な携帯電話での方式によってｈａｒｄ  ｋｅｙと入力する場合を見ると、ｈ（２打）ａ（１打）ｒ（３打）ｄ（１打）ｋ（２打）ｅ（２打）ｙ（３打）となり、計１４打となる。【０２８３】比較すると本発明の場合は、一般的な方式の五割の打数となる。【０２８４】ただし、上記の例では任意に本発明にとって有利な材料を採用したとする懸念が生じるから、そうした懸念から逃れるために、先に英文における字母の分布の特徴を確定するために利用した、合衆国憲法関係の文献のなかのもっとも代表性の高い材料として、その憲法前文を次に引用して、その入力に必要なキーの押し下げ数すなわち打数を示すことにする。【０２８５】Ｗｅ  ｔｈｅ  ｐｅｏｐｌｅ  ｏｆ  ｔｈｅ  Ｕｎｉｔｅｄ  Ｓｔａｔｅｓ，ｉｎ  ｏｒｄｅｒ  ｔｏ  ｆｏｒｍ  ａ  ｍｏｒｅ  ｐｅｒｆｅｃｔ  Ｕｎｉｏｎ，ｅｓｔａｂｌｉｓｈ  ｊｕｓｔｉｃｅ，ｉｓｓｕｅ  ｄｏｍｅｓｔｉｃ  Ｔｒａｎｑｕｉｌｉｔｙ，ｐｒｏｖｉｄｅ  ｆｏｒ  ｔｈｅ  ｃｏｍｍｏｎ  ｄｅｆｅｎｃｅ，ｐｒｏｍｏｔｅ  ｔｈｅ  ｇｅｎｅｒａｌ  Ｗｅｌｆａｒｅ，ａｎｄ  ｓｅｃｕｒｅ  ｔｈｅ  Ｂｌｅｓｓｉｎｇｓ  ｏｆ  Ｌｉｂｅｒｔｙ  ｔｏ  ｏｕｒ  ｓｅｌｖｅｓ  ａｎｄ  ｏｕｒ  Ｐｏｓｔｅｒｉｔｙ，ｄｏｏｂｔａｉｎ  ａｎｄ  ｅｓｔａｂｌｉｓｈ  ｔｈｉｓ  Ｃｏｎｓｔｉｔｕｔｉｏｎ  ｆｏｒ  ｔｈｅ  Ｕｎｉｔｅｄ  Ｓｔａｔｅｓ  ｏｆ  Ａｍｅｒｉｃａ．【０２８６】図３（ａ）の英文入力表鍵盤和文対応型と図４（ａ）の英文入力表鍵盤英語型の場合はともに同じ内容の字母群から構成されているので、これをｒ（ｒｉｇｈｔ  ｓｉｄｅ）、図３（ｂ）の英文入力裏鍵盤和文対応型と図４（ｂ）の英文入力裏鍵盤英文語型もまた相互にまったく同じ内容の字母群から構成されているので、これをｗ（ｗｒｏｎｇ  ｓｉｄｅ）、鍵盤切替キーをｃ（ｃｈａｎｇｅ）、と表記して、上記の合衆国憲法前文を入力する場合の打鍵数を示すと、
Ｗ（ｒ１）ｅ（ｒ１）ｔ（ｒ１）ｈ（ｒ１）ｅ（ｒ１）ｐ（ｃ１ｗ１）ｅ（ｒ１）ｏ（ｒ１）ｐ（ｃ１ｗ１）ｌ（ｃ１ｗ１）ｅ（ｒ１）ｏ（ｒ１）ｆ（ｃ１ｗ１）ｔ（ｒ１）ｈ（ｒ１）ｅ（ｒ１）Ｕ（ｒ１）ｎ（ｒ１）ｉ（ｒ１）ｔ（ｒ１）ｅ（ｒ１）ｄ（ｒ１））Ｓ（ｒ１）ｔ（ｒ１）ａ（ｒ１）ｔ（ｒ１）ｅ（ｒ１）ｓ（ｒ１），（ｃ１ｗ１）ｉ（ｒ１）ｎ（ｒ１）ｏ（ｒ１）ｒ（ｒ１）ｄ（ｒ１）ｅ（ｒ１）ｒ（ｒ１）ｔ（ｒ１）ｏ（ｒ１）ｆ（ｃ１ｗ１）ｏ（ｒ１）ｒ（ｒ１）ｍ（ｃ１ｗ１）ａ（ｒ１）ｍ（ｃ１ｗ１）ｏ（ｒ１）ｒ（ｒ１）ｅ（ｒ１）ｐ（ｃ１ｗ１）ｅ（ｒ１）ｒ（ｒ１）ｆ（ｃ１ｗ１）ｅ（ｒ１）ｃ（ｒ１）ｔ（ｒ１）Ｕ（ｒ１）ｎ（ｒ１）ｉ（ｒ１）ｏ（ｒ１）ｎ（ｒ１），（ｃ１ｗ１）ｅ（ｒ１）ｓ（ｒ１）ｔ（ｒ１）ａ（ｒ１）ｂ（ｃ１ｗ１）１（ｃ１ｗ１）ｉ（ｒ１）ｓ（ｒ１）ｈ（ｒ１）ｊ（ｃ１ｗ１）ｕ（ｒ１）ｓ（ｒ１）ｔ（ｒ１）ｉ（ｒ１）ｃ（ｒ１）ｅ（ｒ１），（ｃ１ｗ１）ｉ（ｒ１）ｓ（ｒ１）ｓ（ｒ１）ｕ（ｒ１）ｅ（ｒ１）ｄ（ｒ１）ｏ（ｒ１）ｍ（ｃ１ｗ１）ｅ（ｒ１）ｓ（ｒ１）ｔ（ｒ１）ｉ（ｒ１）ｃ（ｒ１）Ｔ（ｒ１）ｒ（ｒ１）ａ（ｒ１）ｎ（ｒ１）ｑ（ｒ１）ｕ（ｒ１）ｉ（ｒ１）ｌ（ｃ１ｗ１）ｉ（ｒ１）ｔ（ｒ１）ｙ（ｒ１），（ｃ１ｗ１）ｐ（ｃ１ｗ１）ｒ（ｒ１）ｏ（ｒ１）ｖ（ｒ１）ｉ（ｒ１）ｄ（ｒ１）ｅ（ｒ１）ｆ（ｃ１ｗ１）ｏ（ｒ１）ｒ（ｒ１）ｔ（ｒ１）ｈ（ｒ１）ｅ（ｒ１）ｃ（ｒ１）ｏ（ｒ１）ｍ（ｃ１ｗ１）ｍ（ｃ１ｗ１）ｏ（ｒ１）ｎ（ｒ１）ｄ（ｒ１）ｅ（ｒ１）ｆ（ｃ１ｗ１）ｅ（ｒ１）ｎ（ｒ１）ｃ（ｒ１）ｅ（ｒ１），（ｃ１ｗ１）ｐ（ｃ１ｗ１）ｒ（ｒ１）ｏ（ｒ１）ｍ（ｃ１ｗ１）ｏ（ｒ１）ｔ（ｒ１）ｅ（ｒ１）ｔ（ｒ１）ｈ（ｒ１）ｅ（ｒ１）ｇ（ｃ１ｗ１）ｅ（ｒ１）ｎ（ｒ１）ｅ（ｒ１）ｒ（ｒ１）ａ（ｒ１）ｌ（ｃ１ｗ１）Ｗ（ｒ１）ｅ（ｒ１）ｌ（ｃ１ｗ１）ｆ（ｃ１ｗ１）ａ（ｒ１）ｒ（ｒ１）ｅ（ｒ１），（ｃ１ｗ１）ａ（ｒ１）ｎ（ｒ１）ｄ（ｒ１）ｓ（ｒ１）ｅ（ｒ１）ｃ（ｒ１）ｕ（ｒ１）ｒ（ｒ１）ｅ（ｒ１）ｔ（ｒ１）ｈ（ｒ１）ｅ（ｒ１）Ｂ（ｃ１ｗ１）１（ｃ１ｗ１）ｅ（ｒ１）ｓ（ｒ１）ｓ（ｒ１）ｉ（ｒ１）ｎ（ｒ１）ｇ（ｃ１ｗ１）ｓ（ｒ１）ｏ（ｒ１）ｆ（ｃ１ｗ１）Ｌ（ｃ１ｗ１）ｉ（ｒ１）ｂ（ｃ１ｗ１）ｅ（ｒ１）ｒ（ｒ１）ｔ（ｒ１）ｙ（ｒ１）ｔ（ｒ１）ｏ（ｒ１）ｏ（ｒ１）ｕ（ｒ１）ｒ（ｒ１）ｓ（ｒ１）ｅ（ｒ１）ｌ（ｃ１ｗ１）ｖ（ｒ１）ｅ（ｒ１）ｓ（ｒ１）ａ（ｒ１）ｎ（ｒ１）ｄ（ｒ１）ｏ（ｒ１）ｕ（ｒ１）ｒ（ｒ１）Ｐ（ｃ１ｗ１）ｏ（ｒ１）ｓ（ｒ１）ｔ（ｒ１）ｅ（ｒ１）ｒ（ｒ１）ｉ（ｒ１）ｔ（ｒ１）ｙ（ｒ１），（ｃ１ｗ１）ｄ（ｒ１）ｏ（ｒ１）ｏ（ｒ１）ｂ（ｃ１ｗ１）ｔ（ｒ１）ａ（ｒ１）ｉ（ｒ１）ｎ（ｒ１）ａ（ｒ１）ｎ（ｒ１）ｄ（ｒ１）ｅ（ｒ１）ｓ（ｒ１）ｔ（ｒ１）ａ（ｒ１）ｂ（ｃ１ｗ１）ｌ（ｃ１ｗ１）ｉ（ｒ１）ｓ（ｒ１）ｈ（ｒ１）ｔ（ｒ１）ｈ（ｒ１）ｉ（ｒ１）ｓ（ｒ１）Ｃ（ｒ１）ｏ（ｒ１）ｎ（ｒ１）ｓ（ｒ１）ｔ（ｒ１）ｉ（ｒ１）ｔ（ｒ１）ｕ（ｒ１）ｔ（ｒ１）ｉ（ｒ１）ｏ（ｒ１）ｎ（ｒ１）ｆ（ｃ１ｗ１）ｏ（ｒ１）ｒ（ｒ１）ｔ（ｒ１）ｈ（（ｒ１）（ｒ１）ｅ（ｒ１）Ｕ（ｒ１）ｎ（ｒ１）ｉ（ｒ１）ｔ（ｒ１）ｅ（ｒ１）ｄ（ｒ１）Ｓ（ｒ１）ｔ（ｒ１）ａ（ｒ１）ｔ（ｒ１）ｅ（ｒ１）ｓ（ｒ１）ｏ（ｒ１）ｆ（ｃ１ｗ１）Ａ（ｒ１）ｍ（ｃ１ｗ１）ｅ（ｒ１）ｒ（ｒ１）ｉ（ｒ１）ｃ（ｒ１）ａ（ｒ１）．（ｃ１ｗ１）となる。【０２８７】以上の結果を集計すると、英文入力表鍵盤のみで対応できる場合が２２９例、鍵盤切替キーで英文入力裏鍵盤を呼び出す必要がある場合が４６例となる。【０２８８】すなわち、集計の結果、ピリオドやコンマを含む総計２７５字母に対して、英文入力表鍵盤のみで対応できる場合が２２９例、全体で２７５例の約８３％強、鍵盤切替キーで英文入力裏鍵盤を呼び出す必要がある場合が４６例、全体で２７５例の約１７％弱となる。【０２８９】また実際の入力に当たっては、鍵盤切替キーで英文入力裏鍵盤を呼び出す必要がある場合の４６例については、１字母に対して鍵盤切替キーを１度押し下げ、さらに英文入力裏鍵盤の当該キーを１度押し下げるので、計９２度のキーの押し下げが必要となる。【０２９０】したがって、実際のキーの押し下げ回数は、総計３２１度となり、これは総字母数の１．１７％弱となる。【０２９１】以上の結果は、実際にはすでに任意に集成されたアメリカ合衆国の憲法に関連する約４万４千字母の英文を統計することによって示された結果を再確認したに過ぎないが、ここではその具体的なケースを提示して分析したのである。【０２９２】上記の結果を言い換えれば、本発明の鍵盤を用いた場合には、アルファベット２６字母をそなえた通常のパソコン鍵盤での入力の約１割強のキーの押し下げ数で同じ内容が入力できることになる。【０２９３】これに対して、一般的な携帯電話の場合は、繁を厭って、Ｗｅ  ｔｈｅ  ｐｅｏｐｌｅ  ｏｆ  ｔｈｅ  Ｕｎｉｔｅｄ  Ｓｔａｔｅｓ，ｉｎ  ｏｒｄｅｒ  ｔｏ  ｆｏｒｍ  ａ  ｍｏｒｅ  ｐｅｒｆｅｃｔ  Ｕｎｉｏｎ，ｅｓｔａｂｌｉｓｈ  ｊｕｓｔｉｃｅ．までで区切って、同じキーが連続して押し下げられる場合に一旦決定キーを押す場合をｃ１と表記して加えることにして、同様に打鍵数を示すと、次項のようになる。【０２９４】Ｗ（１）ｅ（２）ｔ（１）ｈ（２）ｅ（２）ｐ（１）ｅ（２）ｏ（３）ｐ（１）１（３）ｅ（２）ｏ（３）ｆ（３）ｔ（１）ｈ（２）ｅ（２）Ｕ（２）ｎ（２）ｉ（３）ｔ（１）ｅ（２）ｄ（１）Ｓ（４）ｔ（１）ａ（１）ｔ（１）ｅ（２）ｓ（４），（１）ｉ（３）ｎ（２）ｏ（３）ｒ（３）ｄ（１）ｅ（ｃ１，２）ｒ（３）ｔ（１）ｏ（３）ｆ（３）ｏ（３）ｒ（３）ｍ（１）ａ（１）ｍ（１）ｏ（３）ｒ（３）ｅ（２）ｐ（１）ｅ（２）ｒ（３）ｆ（３）ｅ（ｃ１，２）ｃ（３）ｔ（１）Ｕ（ｃ１，２）ｎ（２）ｉ（３）ｏ（３）ｎ（ｃ１，２），（１）ｅ（２）ｓ（４）ｔ（１）ａ（１）ｂ（２）ｌ（３）ｉ（３）ｓ（４）ｈ（２）ｊ（１）ｕ（２）ｓ（４）ｔ（１）ｉ（３）ｃ（３）ｅ【０２９５】この打鍵数を計算をすれば、この引用で文末に形式を整えるために加えたピリオドを除いて、合計１６５回となる。【０２９６】これに対して、同じ部分の本発明での打鍵数は、上記の場合、文末のコンマを除いて合計９０回となる。【０２９７】すなわち、本発明では、９０割る１６５の計算で、一般的な携帯電話の５割５分弱で同様の��文が入力できることになる。【０２９８】また、本発明の場合には、１字母１打鍵が通例であり、およそ１０打鍵に１度あるいは２度の１字母２打鍵の場合が入るのに対して、一般的な携帯電話の場合は、１字母１打鍵から１字母４打鍵の場合まで、１字母あたりの打鍵数に大きな差異があり、入力に際して神経の疲労が甚だしい。【０２９９】以上の結果によって、本発明の現在携帯入力端末で一般的に用いられている方式に対する優位性は明らかであろう。【０３００】また英文入力種に入る操作を比較すると、本発明の場合には、最大限３回（和文→絵文字→数字→英文）の入力種切替キーの押し下げが必要であるが、一般的な方式では、最大限５回程度（１→区→漢→ア→ア→Ａ等）の入力種切替キーの押し下げが必要となる。【０３０１】なお、本発明のように英文入力を設定した場合の、ひとつの困難は、単語の場合ではなく、単なる符号としてｃとｋとｑ、ｇとｊ、ｓとｘ、ｉとｙ、ｕとｖとｗの５組の字母のうちのいずれかを単独に入力せざるを得ない状況が発生することである。【０３０２】この点については、この困難を解決するためにあらたに正規の手順を設定することが、入力方式の複雑化をきたすことを恐れて、これらのキーたとえばｃとｋとｑを同時に表わすキーを三連打した場合に、ｃｃｃ、ｋｋｋ、ｑｑｑの三つの入力結果を表示して、あらためてそのいずれかを選ぶ方式を採用する。【０３０３】この場合、たとえば、ｃａｋｅと入力したあとで、ａｋｅの部分をけしてｃを入力し、ｃａｅの部分を消してｋを入力し、ｑｕｉｃｋと入力したあと、ｕｉｃｋの部分を消去してｑを入力し、ｑｕｉｃの部分を消去してｋを入力し、ｓｉｘと入力しあとｓｉの部分を消去してｘを入力し、ｉｘの部分を消去してｓを入力し、あるいはｖｏｗと入力したあと、ｖｏの部分を消去してｗを入力し、ｏｗの部分を消去してｖを入力するように、単に一定の短い綴りの単語を入力し、あらためてカーソルキーとシフトキーによって、不要な綴りを消去して、もとめる字母を確定するというような方法も可能である。
「片仮名文字入力の問題」【０３０４】本発明においては、片仮名文字は各種入力の補助的存在として、各種入力中にシフトキーを押し下げたあとに続いて入力種キーを押し下げることにより、片仮名文字入力に入り、片仮名入力が終わった時点で再びシフトキーを押し下げ、続いて入力種キーを押し下げることにより、もとの入力種に復帰するように設定する。
【産業上の効果】
【０３０５】以上のように、本発明においては、字母と符号の合理的な配置およびディスプレー画面と鍵盤の協働を通じて、従来の携帯端末とは次元を異にする、パソコン並みの操作性と機能性が実現した。
【０３０６】そこから予想されることは、第一に、携帯端末へのアクセスが著しく容易になり、携帯端末のユーザーが一層増加すること、および携帯端末の使用面が拡大することである。
【０３０７】第二に、従来はパソコンを通じて、従って一定の場所的なあるいは場合によっては一定の時間的な制約のもとで行われていたデータ検索や情報交換が、そうした制約を脱して、ユーザーに密着した形で、かつてのペンや鉛筆、手帳のごとき筆記用具のような形で使用される可能性を与える。
【０３０８】現代の著しく拡大した国際交流の局面においても、従来の煩瑣な入力方式を持つ携帯電話は、英語による交流を担いえず、国際情報、国際交流はもっぱらパソコンによって行わざるを得なった。
【０３０９】しかし、本発明によって、携帯電話を通じた国際情報、国際交流が著しく発展すると予想される。
【０３１０】そしてそこでは、携帯電話が日常的な交流にまで入り込むため、国際的な関係においても、具体的な人間関係における感情的な面にまで踏み込んだ交流が推進されると予想される。
【０３１１】以上のように、本発明は従来の産業構造や人間関係の変革にまで及ぶ作用を発揮すると予想される。
【図面の簡単な説明】
【０３１２】
【図１】和文入力鍵盤  （ａ）和文入力表鍵盤（ｂ）和文入力裏鍵盤（ｃ）和文入力表裏鍵盤
【図２】和文入力鍵盤平仮名表記型  （ａ）和文入力表鍵盤平仮名表記型（ｂ）和文入力裏鍵盤平仮名表記型（ｃ）和文入力表裏鍵盤平仮名表記型
【図３】英文入力鍵盤和文対応型  （ａ）英文入力表鍵盤和文対応型（ｂ）英文入力裏鍵盤和文対応型（ｃ）英文入力表裏鍵盤和文対応型
【図４】英文入力鍵盤英語型  （ａ）英文入力表鍵盤英語型（ｂ）英文入力裏鍵盤英語型（ｃ）英文入力表裏鍵盤英語型
【図５】数字入力鍵盤
【図６】入力候補文字列の画面表示示意図
【図７】和文符号数字符号基本鍵盤
【図８】符号第１鍵盤
【図９】符号第２鍵盤
【図１０】符号第３鍵盤
【図１１】符号第４鍵盤
【図１２】符号第５鍵盤
【図１３】符号第６鍵盤
【図１４】符号第７鍵盤
【符号の簡単な説明】
【０３１３】特になし
【図１】
2009187510.tif 000003
【図２】
2009187510.tif 000004
【図３】
2009187510.tif 000005
【図４】
2009187510.tif 000006
【図５】
2009187510.tif 000007
【図６】
2009187510.tif 000008
【図７】
2009187510.tif 000009
【図８】
2009187510.tif 000010
【図９】
2009187510.tif 000011
【図１０】
2009187510.tif 000012
【図１１】
2009187510.tif 000013
【図１２】
2009187510.tif 000014
【図１３】
2009187510.tif 000015
【図１４】
2009187510.tif 000016